(57)【特許請求の範囲】
【請求項１】
複数の無線タグ本体と、テープ厚み方向において前記複数の無線タグ本体を挟むように互いに反対側に設けられた第１テープ及び第２テープとを有するタグテープであって、
前記無線タグ本体は、
シート状のアンテナ基材と、前記アンテナ基材に設けられ情報の送受信を行うタグアンテナと、情報を記憶するＩＣ回路部、及び、前記ＩＣ回路部を前記アンテナ基材に対し保持する保持部材を含むＩＣ保持体とを備えており、
前記タグアンテナは、
ループコイル形状のアンテナパターンを備えたループアンテナであり、
前記第２テープは、
前記複数の無線タグ本体を貼り付け対象に貼り付けるための貼り付け用粘着剤層と、前記貼り付け用粘着剤層の前記貼り付け側に設けられ、貼り付け時に使用者により引き剥がされる剥離材層とを備えており、
前記剥離材層は、
当該剥離材層の面方向少なくとも１箇所において、当該剥離材層の厚み方向寸法のうち少なくとも一部を切断してテープ長手方向又はテープ幅方向に連続的に又は断続的に延設された切断線からなる剥離材層引き剥がし用の切断部を備えており、
前記ＩＣ保持体は、
平面視において前記剥離材層の前記切断線と重なる位置で前記アンテナ基材の前記第１テープ側に突出するように設けられ、かつ、
前記ＩＣ回路部より前記ループコイル形状の径方向外側に位置する前記アンテナパターンと前記ＩＣ回路部とを接続するための第１接続用ランドと、前記ＩＣ回路部より前記ループコイル形状の径方向内側に位置する前記アンテナパターンと前記ＩＣ回路部とを接続するための第２接続用ランドとを備えるとともに、
前記第１接続用ランドと前記第２接続用ランドとに跨るように、前記ＩＣ回路部を設け、
前記ＩＣ保持体の前記第２接続用ランドが、平面視において前記剥離材層の前記切断線と重なる位置に設けられている
ことを特徴とするタグテープ。
【請求項２】
請求項１記載のタグテープにおいて、
前記第１テープは、
印字形成可能な被印字材料により構成された被印字層、若しくは、印字形成可能な被印字テープを貼り合わせるための貼り合わせ用粘着剤層を備えている
ことを特徴とするタグテープ。
【請求項３】
請求項１又は２記載のタグテープにおいて、
前記剥離材層の前記切断線は、
テープ幅方向中央部において、テープ長手方向に延設されている
ことを特徴とするタグテープ。
【発明の詳細な説明】
【技術分野】
【０００１】
本発明は、情報を記憶するＩＣ回路部と情報の送受信を行うタグアンテナとを備えた無線タグ回路素子を有するタグテープに関する。
【背景技術】
【０００２】
従来、被印字材となるテープをロール状に収納し、ロールよりテープを繰り出しつつ所望の文字を印刷してラベル状に排出するテープ印字装置（ラベル作成装置）が既に提唱されている（例えば、特許文献１参照）。
【０００３】
この従来技術においては、被印字テープを巻回したロール（供給スプール）と、片面側に粘着剤層を備えた剥離紙を巻回したロール（供給スプール）とを備えている。一方のロールから上記被印字テープを繰り出しつつ被印字テープに所定の印字を行うとともに、他方のロールから繰り出された粘着剤付き剥離紙をその印字後の被印字テープに貼り合わせ、これをカッタ（完全切断カッタ）で所定の長さに切断して印字ラベル（テープ片）を作成するようになっている。
【０００４】
作成された印字ラベルは、剥離紙を剥離して上記粘着剤層を露出させることで、印字ラベルを貼り付け対象に貼り付ける。その際、予め剥離紙に切れ目を設けておいたり、各印字ラベルにおいてハーフ切断カッタで剥離紙のみに切断を行い（被印字テープは切断しない）、剥離紙を剥がす際の切れ目となる切断線（ハーフカット部）を形成するようになっている。剥離紙を剥がして印字ラベルを所定の対象物に貼り付ける際には、印字ラベルの切断線近傍を被印字テープ側に折り曲げることにより剥離紙の切断線近傍の端部が被印字テープより剥がれて浮き上がるので、この浮き上がった部分を指でつまむことで容易に剥離紙を被印字テープから剥がすことができる。
【特許文献１】実公平６−３４１２６号公報（第１３図及び第１４図）
【発明の開示】
【発明が解決しようとする課題】
【０００５】
近年、無線タグ回路素子を備えた小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが注目されている。無線タグに備えられた無線タグ回路素子は、所定の情報を記憶するＩＣ回路部とこのＩＣ回路部に接続（接合）され情報の送受信を行うタグアンテナとを備えており、無線タグが汚れている場合や見えない位置に配置されている場合であっても、リーダ／ライタ側よりタグに備えられた無線タグ回路素子にアクセス（情報の読み取り／書き込み）が可能であり、商品管理や検査工程等の様々な分野において実用が期待されている。
【０００６】
ここで、このような無線タグについて、内部に記憶されたタグ情報とは別にその無線タグ情報に関連した情報を上記従来技術と同様にラベルに印字し、印字付き無線タグラベルとして使用するようにすれば、ユーザ側から上記関連情報を視認できて何かと便利である。
【０００７】
そこで、無線タグラベルを生成する装置として、上記従来技術のタグラベル作成装置を応用し、無線タグへの情報読み取り／書き込み及び無線タグへの印字を併せて行って無線タグラベルを作成し、さらにラベル裏の剥離紙に切断線を形成することで、剥離紙をこの切断線から指で容易に剥がせるようにして無線タグラベルの貼り付けを容易とすることが考えられる。
【０００８】
しかしながら、この場合、前述したように切断線近傍を折り曲げると、無線タグラベルに備えられた無線タグ回路素子にその外力や変形によって物理的な悪影響を与える可能性がある。例えば上記のＩＣ回路部とアンテナとは通常何らかの形で導通可能に接続（又は接合）されており、他の部分に比べて強度上相対的な弱点となるため、上記のような折り曲げによってこの接続部（又は接合部）が損傷し、通信機能を阻害するおそれがあった。
【０００９】
本発明の目的は、通信機能を阻害することなく、ラベル貼り付け時の利便性を向上させたタグテープを提供することにある。
【課題を解決するための手段】
【００１０】
上記目的を達成するために、第１発明のタグテープは、複数の無線タグ本体と、テープ厚み方向において前記複数の無線タグ本体を挟むように互いに反対側に設けられた第１テープ及び第２テープとを有するタグテープであって、前記無線タグ本体は、シート状のアンテナ基材と、前記アンテナ基材に設けられ情報の送受信を行うタグアンテナと、情報を記憶するＩＣ回路部、及び、前記ＩＣ回路部を前記アンテナ基材に対し保持する保持部材を含むＩＣ保持体とを備えており、前記第２テープは、前記複数の無線タグ本体を貼り付け対象に貼り付けるための貼り付け用粘着剤層と、前記貼り付け用粘着剤層の前記貼り付け側に設けられ、貼り付け時に使用者により引き剥がされる剥離材層とを備えており、前記剥離材層は、当該剥離材層の面方向少なくとも１箇所において、当該剥離材層の厚み方向寸法のうち少なくとも一部を切断した、剥離材層引き剥がし用の切断部を備えており、前記ＩＣ保持体は、前記アンテナ基材の前記第１テープ側に突出するように設けられていることを特徴とする。
【００１１】
本願第１発明のタグテープは、第１テープ、無線タグ本体、第２テープの積層構造で構成され、このタグテープを用いて無線タグラベルが作成される。作成された無線タグラベルを使用者が使用する際には、第２テープに備えられた剥離材層を手で引き剥がし、露出させた貼り付け用粘着剤層によって、貼り付け対象に貼り付ける。このとき、本願第１発明では、使用者が貼り付け用粘着剤層から剥離材層を引き剥がしやすいように、剥離材層に引き剥がし用切断部を設けている。これにより、使用者は、無線タグラベルを裏返しにし剥離材層を上面にした状態で、上記引き剥がし用切断部付近を頂部とするような山折りを行い、剥離材層を引き剥がし用切断部付近からめくり上げることで、容易に剥離材層を引き剥がすことができる。この結果、ラベル貼り付け時の利便性を向上することができる。
【００１２】
一方、無線タグとしての通信機能を果たすためには、ＩＣ回路部とタグアンテナとが必要である。本願第１発明では、ＩＣ回路部がＩＣ保持体において保持部材によりアンテナ基材に保持されており、アンテナ基材に設けられたタグアンテナに対し電気的に接続される。ところで、このＩＣ保持体が、上記引き剥がし用切断部と平面視で見て重なるように存在している場合に、前述のように使用者が引き剥がし用切断部付近での山折りを行うと、その山折り時の外力がＩＣ保持体にも作用することとなる。
【００１３】
ここで、ＩＣ保持体がアンテナ基材の第２テープ側に配置されていた場合には、上記の山折りによる外力がＩＣ保持体をアンテナ基材から引き剥がす(あるいはＩＣ保持体の一部の構成要素が、アンテナ基材側に位置する他の構成要素から引き剥がす)向きに作用し、通信機能を阻害するおそれがある。本願第１発明においては、ＩＣ保持体をアンテナ基材の第１テープ側(第２テープと反対側)に配置することにより、上記の山折りによる外力が上記のような引き剥がしを生じる向きに作用するのを防止することができる。この結果、通信機能を阻害することなく、ラベル貼り付け時の利便性を向上することができる。
【００１６】
また、第１発明のタグテープは、前記剥離材層の前記切断部は、テープ長手方向又はテープ幅方向に連続的に又は断続的に延設された切断線としている。
【００１７】
これにより、使用者は、無線タグラベルを裏返しにし剥離材層を上面にした状態で、テープ長手方向に連続的又は断続的に延びる引き剥がし用切断線を頂部としたテープ幅方向への山折り（又はテープ幅方向に連続的又は断続的に延びる引き剥がし用切断線を頂部としたテープ長手幅方向への山折り）を行い、剥離材層をめくり上げて容易に剥離材層を引き剥がすことができる。
【００２０】
さらに、第１発明のタグテープでは、前記ＩＣ保持体は、平面視において前記剥離材層の前記切断線と重なる位置に設けている。
【００２１】
これにより、ＩＣ保持体が、引き剥がし用切断線と平面視で見て重なる位置に設けられている。この場合、前述したように使用者が引き剥がし用切断線での山折りを行うと、その山折り時の外力がＩＣ保持体にも確実に作用し、ＩＣ保持体がアンテナ基材の第２テープ側に配置されていた場合には、上記の山折りによる外力がＩＣ保持体をアンテナ基材から引き剥がす向きに作用し、通信機能を阻害するおそれが高い。したがって、この場合にＩＣ保持体をアンテナ基材の第１テープ側（第２テープと反対側）に配置することにより、上述した山折りによる外力が引き剥がしを生じる向きに作用するのを防止できるという効果が特に顕著となる。
【００２２】
また、第１発明のタグテープでは、前記タグアンテナは、ループコイル形状のアンテナパターンを備えたループアンテナであり、前記ＩＣ保持体は、前記ＩＣ回路部より前記ループコイル形状の径方向外側に位置する前記アンテナパターンと前記ＩＣ回路部とを接続するための第１接続用ランドと、前記ＩＣ回路部より前記ループコイル形状の径方向内側に位置する前記アンテナパターンと前記ＩＣ回路部とを接続するための第２接続用ランドとを備えるとともに、前記第１接続用ランドと前記第２接続用ランドとに跨るように、前記ＩＣ回路部を設けている。
【００２３】
第１接続用ランドによってＩＣ回路部と径方向外側のアンテナパターンとの電気的導通を確実に行うことができ、また、第２接続用ランドによってＩＣ回路部と径方向内側のアンテナパターンとの電気的導通を確実に行うことができる。また、第１及び第２接続用ランドを介してＩＣ回路部とアンテナパターンとを接続する構造とすることで、ＩＣ回路部とアンテナパターンとを直接結合する場合よりも製造時の自由度が高くなり、生産性を向上することが可能となる。
【００２４】
そして、第１発明のタグテープでは、前記ＩＣ保持体の前記第２接続用ランドが、平面視において前記剥離材層の前記切断線と重なる位置に設けられていることを特徴とする。
【００２５】
これにより、山折りによる外力が第２接続用ランド付近に引き剥がしを生じる向きに作用する（例えば第２接続用ランドをアンテナパターンから引き剥がす向きに作用する）のを防止することができる。この結果、通信機能を阻害することなく、ラベル貼り付け時の利便性を向上することができる。
第２発明のタグテープは、上記第１発明において、前記第１テープは、印字形成可能な被印字材料により構成された被印字層、若しくは、印字形成可能な被印字テープを貼り合わせるための貼り合わせ用粘着剤層を備えていることを特徴とする。
これにより、本願第２発明のタグテープを用いることで、被印字層に印字を形成した（又は印字を形成した被印字テープを貼り合わせた）印字付き無線タグラベルを作成することができる。
第３発明のタグテープは、上記第１又は第２発明において、前記剥離材層の前記切断線は、テープ幅方向中央部において、テープ長手方向に延設されていることを特徴とする。
これにより、使用者が、剥離材層を上面にして、引き剥がし用切断線を頂部としてテープ幅方向へ山折りするとき、頂部を境にした両方向の寸法が均等になる。この結果、使用者の両手による取り扱い性が良好となり、さらに容易かつ確実に剥離材層を引き剥がすことができる。
【発明の効果】
【００３７】
本発明によれば、通信機能を阻害することなく、ラベル貼り付け時の利便性を向上させることができる。
【発明を実施するための最良の形態】
【００３８】
以下、本発明の実施の形態を図面を参照しつつ説明する。まず、第１実施形態について説明する。
【００３９】
図１に、第１実施形態のタグテープを用いたタグラベル作成装置１を備える無線タグラベルシステムＴＳを示す。
【００４０】
この無線タグラベルシステムＴＳにおいて、タグラベル作成装置１は、適宜の通信回線等からなる通信ネットワークＮＷを介して、ルートサーバＲＳ、情報サーバＩＳ、端末装置ＤＴａ、汎用コンピュータＤＴｂなどに接続されている。
【００４１】
図２に、タグラベル作成装置１の外観構成を示す。この図２において、タグラベル作成装置１は、カートリッジ（無線タグ回路素子カートリッジ）３が装着されるカートリッジホルダ３１（図３参照）を備えた装置本体２を有している。
【００４２】
装置本体２は、上面部、下面部、前面部、背面部、左右の両側面部を備えた全体的に直方体状の筐体２ｓをその外郭として備えている。上面部には、上蓋４及び上蓋操作ボタン５が設けられている。前面部には、ラベル排出口７、前蓋８、電源ボタン９、およびカッタ駆動ボタン１０が設けられている。
【００４３】
上蓋４は、装置本体２の図２中右奥側の端部にて回動可能に支持されており、付勢部材（図示省略）により開き方向に付勢される一方で、装置本体２との間がロック可能に構成されている。また、カートリッジ３の着脱の際には、上蓋操作ボタン５が押されることで上記ロックが解除となり、上蓋４が上記付勢部材の付勢作用により開き、その状態でカートリッジ３の装着や取外しを行えるようになっている。なお、上蓋４には、透明カバーなどを嵌め込んだ透視窓１５が設けられている。
【００４４】
ラベル排出口７は、装置本体２の内部で作成される無線タグラベルＴを外部に排出するものである。前蓋８は、下端を支点にした回動で開閉可能とされており、上端部に設けられている押部８ｐを上方より押し込むことで前方に回動して開く。電源ボタン９は、タグラベル作成装置１の主電源のオン・オフ操作に用いられる。カッタ駆動ボタン１０は、後述のカッタ５１（図３参照）を操作者が手動で操作して印字済みタグラベルテープ１０９を切断し、無線タグラベルＴを形成するためのものである。
【００４５】
図３に、装置本体２のカートリッジホルダ３１とその内部に装着されたカートリッジ３の要部の構成を模式化して示す。
【００４６】
この図３において、カートリッジ３は、ラベル排出口７から排出される印字済みタグラベルテープ１０９の幅方向の向きが、図において紙面に略垂直方向となるように、上記カートリッジホルダ３１に収納する。カートリッジ３は、筐体３Ａと、この筐体３Ａ内に配置され帯状のタグテープ１０１が巻回された第１ロール（タグテープロール；本来は渦巻き状であるが簡略化して同心円で図示している）１０２と、上記タグテープ１０１と略同じ幅である透明な上記カバーフィルム（被印字テープ）１０３が巻回された第２ロール（本来は渦巻き状であるが簡略化して同心円で図示している）１０４と、インクリボン１０５（熱転写リボン、但し被印字テープが感熱テープの場合は不要）を繰り出すリボン供給側ロール１１１と、印字後のインクリボン１０５を巻取るリボン巻取りローラ１０６と、カートリッジ３のテープ排出部の近傍に回転可能に支持されたテープ送りローラ２７と、搬送位置規制手段として機能するガイドローラ１１２とを有する。
【００４７】
テープ送りローラ２７は、対向するテープ圧接ローラ２８と協働して、上記タグテープ１０１と上記カバーフィルム１０３とを挟圧し接着させ上記印字済タグラベルテープ１０９としつつ、矢印Ａで示す方向にテープ送りを行う（＝圧着ローラとしても機能する）。
【００４８】
第１ロール１０２は、リール部材１０２ａ（軸）の周りに、長手方向に複数の無線タグ本体９０が所定の等間隔で順次形成された上記タグテープ１０１を巻回している。タグテープ１０１はこの例では７層構造となっており（図３中部分拡大図参照）、内側に巻かれる側（図３中右側）よりその反対側（図３中左側）へ向かって、適宜の粘着剤からなる粘着層（貼り合わせ用粘着剤層）１０１ａ、ＰＥＴ（ポリエチレンテレフタラート）等から成る色付きの第１ベースフィルム１０１ｂ、適宜の粘着剤からなる粘着層１０１ｃ、適宜の粘着剤からなる粘着層１０１ｄ、ＰＥＴ（ポリエチレンテレフタラート）等から第２ベースフィルム１０１ｅ、適宜の粘着剤からなる粘着層（貼り付け用粘着剤層）１０１ｆ、剥離紙（剥離材層）１０１ｇの順序で積層され構成されている。
【００４９】
第１ベースフィルム１０１ｂの表側（図３中右側）には、後にカバーフィルム１０３を接着するための上記粘着層１０１ａが形成され、また第１ベースフィルム１０１ｂの裏側（図３中左側）には、無線タグ本体９０を内包するように上記粘着層１０１ｃが設けられており、これら３層が一体となって第１テープ１０１Ａを構成している。また第２ベースフィルム１０１ｅの表側（図３中右側）には、無線タグ本体９０を挟んで上記第１テープ１０１Ａの粘着層１０１ｃの裏側（図３中左側）と貼り合わされる粘着層１０１ｄが形成され、また第２ベースフィルムの１０１ｅの裏側（図３中左側）には粘着層１０１ｆによって上記剥離紙１０１ｇが接着されている。このうちの上記の粘着層１０１ｄ、第２ベースフィルム１０１ｅ、粘着層１０１ｆ、及び剥離紙１０１ｇの４層が一体となって第２テープ１０１Ｂを構成している。
【００５０】
無線タグ本体９０は、シート状に形成された樹脂製のアンテナ基材９１と、このアンテナ基材９１の表側（図３中右側）に表出するよう設けられたループコイル形状のループアンテナ６２（タグアンテナ）と、アンテナ基材９１の表側（図３中右側）に配置され、情報を記憶するＩＣ回路部８０、及びこのＩＣ回路部８０を上記アンテナ基材９１に対し保持する保持部材９５を含むＩＣ保持体９２とを有している。保持部材９５は、ＩＣ回路部８０の表側（図３中右側）を覆うことによりＩＣ回路部８０を上記アンテナ基材９１に対し保持するとともに、ループアンテナ６２とＩＣ回路部８０とを接続する。なお、情報の送受信を行う上記ループアンテナ６２と、情報を記憶するＩＣ回路部８０とで無線タグ回路素子Ｔｏが構成される。そして、無線タグ本体９０を全体で見た場合、略直方体形状に形成されたＩＣ回路部８０がアンテナ基材９１の表側（図３中右側）の表面に配置され、さらにその表側（図３中右側）を保持部材９５が覆っていることから、ＩＣ保持体９２はアンテナ基材９１の第１テープ１０１Ａ側に突出するように設けられている構成となる（無線タグ本体９０とＩＣ回路部８０の詳細については後に詳述する）。
【００５１】
上記剥離紙１０１ｇは、最終的にラベル状に完成した無線タグラベルＴ（後述の図９参照）が所定の商品等の物品（貼り付け対象）に貼り付けられる際に、これを剥がすことで粘着層１０１ｆにより当該商品等に接着できるようにしたものである。この図３中においては図示を省略しているが、剥離紙引き剥がし用の切断部（切断線）として、剥離紙１０１ｇのテープ幅方向中央部においてテープ長手方向に剥離紙１０１ｇのみを切断するハーフカット線ＨＣ(図６等参照)が切れ目のない直線状に形成されており、使用者はこのハーフカット線ＨＣに沿って無線タグラベルＴを折り曲げることで、無線タグラベルＴから剥離紙１０１ｇを浮かして剥がしやすくなっている。なお、上記ハーフカット線ＨＣは、必ずしも剥離紙１０１ｇの厚み方向寸法の全体を切断して形成する必要はなく、剥離紙１０１ｇの厚み方向寸法の一部を切断することにより形成してもよい。
【００５２】
一方、図３に示すように、第２ロール１０４は、リール部材１０４ａの周りに上記カバーフィルム１０３を巻回している。第２ロール１０４より繰り出されるカバーフィルム１０３は、その裏面側（すなわち上記タグテープ１０１と接着される側）に配置された上記リボン供給側ロール１１１及び上記リボン巻取りローラ１０６で駆動されるインクリボン１０５が印字ヘッド２３（カートリッジホルダ３１側に設けられている）に押圧されることで、インクリボン１０５が当該カバーフィルム１０３の裏面に接触させられるようになっている。
【００５３】
なお、カートリッジ３をカートリッジホルダ３１に装着した際にカートリッジホルダ３１側に備えられている印字ヘッド２３をインクリボン１０５とカバーフィルム１０３に押圧させることができるよう、カートリッジ３の筐体３Ａにはカバーフィルム１０３とインクリボン１０５の搬送経路の一部を外部に露出させるための切り欠き部３ａが形成されている。
【００５４】
また、カートリッジホルダ３１側で印字ヘッド２３に対向する位置には、カバーフィルム１０３へ押圧力を作用させテープ搬送を行うためのプラテンローラ２４が設けられている。更に、カートリッジホルダ３１には、カートリッジ３の排出口に隣接して（この例でははさみ方式の）カッタ５１が配設されている。このカッタ５１は、図示しないソレノイド（図示せず）に接続されており、このソレノイドがソレノイド駆動回路（図示せず）によって励磁されることで作動する。これにより、印字済みのタグラベルテープ１０９を所定の長さに切断し、無線タグラベルＴを形成する。
【００５５】
また、タグラベル作成装置１に設けられた装置側アンテナ５２は、タグテープ１０１に配置されている無線タグ回路素子Ｔｏに対する情報の読取りまたは書込みのための通信を行う。
【００５６】
図４に、無線タグ回路素子Ｔｏの機能的構成を示す。図４において、無線タグ回路素子Ｔｏは、上述したようにタグラベル作成装置１の装置側アンテナ５２と無線通信もしくは電磁誘導により非接触で信号の送受信を行う上記ループアンテナ６２と、このループアンテナ６２に接続された上記ＩＣ回路部８０とを有している。
【００５７】
ＩＣ回路部８０は、ループアンテナ６２により受信された質問波を整流する整流部８１と、この整流部８１により整流された質問波のエネルギを蓄積し駆動電源とするための電源部８２と、上記ループアンテナ６２により受信された質問波からクロック信号を抽出して制御部８３に供給するクロック抽出部８４と、所定の情報信号を記憶し得るメモリ部８６と、上記ループアンテナ６２に接続された変復調部８５と、上記メモリ部８６、クロック抽出部８４、及び変復調部８５等を介し上記無線タグ回路素子Ｔｏの作動を制御するための上記制御部８３とを備えている。
【００５８】
変復調部８５は、ループアンテナ６２により受信された上記タグラベル作成装置１の装置側アンテナ５２からの質問波の復調を行い、また、上記制御部８３からの返信信号を変調し、ループアンテナ６２より応答波（タグＩＤを含む信号）として送信する。
【００５９】
クロック抽出部８４は受信した信号からクロック成分を抽出し、当該クロック成分の周波数に対応したクロックを制御部８３に供給する。
【００６０】
制御部８３は、上記変復調部８５により復調された受信信号を解釈し、上記メモリ部８６において記憶された情報信号に基づいて返信信号を生成し、この返信信号を上記変復調部８５により上記ループアンテナ６２から返信する制御等の基本的な制御を実行する。
【００６１】
図５に、タグラベル作成装置１における制御系の機能的な構成を示す。
【００６２】
図５において、タグラベル作成装置１には、例えばマイクロプロセッサなどからなる制御部５３が設けられている。この制御部５３には、入出力インターフェース５６を介し、前述の端末装置ＤＴａや汎用コンピュータＤＴｂが接続された通信回線ＮＷが接続されている。
【００６３】
図５において、タグラベル作成装置１には、例えばマイクロプロセッサなどからなる制御部５３が設けられている。この制御部５３には、入出力インターフェース５６を介し、前述の端末装置ＤＴａや汎用コンピュータＤＴｂが接続された通信ネットワークＮＷが接続されている。
【００６４】
図６（ａ）〜図６（ｃ）に、上記タグテープ１０１における無線タグ本体９０の配置と構成の一例を示す。図６（ｂ）には、表面側より第１テープ１０１Ａ及び保持部材９５を透視した図６（ａ）中ＶＩｂ部の抽出拡大図を示し、図６（ｃ）には、図６（ｂ）図ＶＩｃ部の詳細構造を示している。また、図７（ａ）に、図６（ｃ）中のＶＩＩａ−ＶＩＩａ断面による断面図を示し、図７（ｂ）に、図６（ｃ）中のＶＩＩｂ−ＶＩＩｂ断面による断面図を示す。
【００６５】
これら図６（ａ）〜図６（ｃ）、及び図７（ａ）〜図７（ｂ）において、タグテープ１０１は、その長手方向に、所定の間隔を空けて複数の無線タグ本体９０を配置している（図中では一つのみ図示）。それぞれの無線タグ本体９０は、前述のようにアンテナ基材９１と、ループアンテナ６２と、ＩＣ回路部８０及び保持部材９５を含むＩＣ保持体９２とを備えている。この例では、適宜な合成樹脂材のシート状で略矩形形状に形成されたアンテナ基材９１の表側（図７中の上側）に、同じく全体が略矩形形状に形成されたループアンテナ６２のアンテナパターン６２Ａが配置され、上記ＩＣ保持体９２は、このアンテナパターン６２Ａのループコイル形状の径方向外側の端部に接続された第１接続用ランド９３と、他方の径方向内側の端部に接続された第２接続用ランド９４とを備えている。
【００６６】
これら第１接続用ランド９３と第２接続用ランド９４はそれぞれ略Ｌ字型形状に形成された薄板状の導通部材であり、それぞれの短辺部分がアンテナパターン６２Ａの端部及びアンテナ基材９１とともに表裏両面からかしめられ、圧着部９６，９７にてそれぞれ圧着固定されている。そしてそれぞれの長辺部分が互いにわずかな距離で離間して平行に配置されており、ＩＣ回路部８０はこれら２つの接続用ランド９３，９４の長辺部分のアンテナ基材９１側において、各長辺部分に跨る配置で重なるように設けられている。そして各接続用ランド９３，９４は、それぞれの短辺部分が上記圧着部９６，９７でアンテナパターン６２Ａの端部と接続され、またそれぞれの長辺部分が上記の重なり部分でＩＣ回路部８０と接続されている。これにより、ＩＣ回路部８０は、各接続用ランド９３，９４を介してループアンテナ６２のアンテナパターン６２Ａの両端部に電気的に接続され、導通されている。
【００６７】
また、ループアンテナ６２のアンテナパターン６２Ａは、無線タグラベルＴの平面視（表面又は裏面に正対する視野）においてＩＣ回路部８０の近傍でＩＣ回路部８０を迂回するように曲折して配置された曲折部６２Ａｂを備えている。そしてＩＣ回路部８０を含めた２つの接続用ランド９３，９４の配置領域に対してその表面を薄い樹脂製の保持部材９５が覆っている。ＩＣ回路部８０は、この保持部材９５と各接続用ランド９３，９４によってアンテナ基材９１の表面に保持されており、つまりこれら保持部材９５、ＩＣ回路部８０、及び２つの接続用ランド９３，９４が上記ＩＣ保持体９２を構成している。
【００６８】
そして、前述したように、剥離紙１０１ｇのテープ幅方向中央においてテープ長手方向に剥離紙引き剥がし用の切断部として切れ目のない直線状のハーフカット線ＨＣが形成されており、この例では、平面視においてアンテナパターン６２Ａの径方向内側の第２接続用ランド９４がハーフカット線ＨＣと重なる位置に設けられている。
【００６９】
図８に、上記無線タグラベルＴの作成時の端末装置ＤＴａの表示画面における表示の例を示す。この例では、無線タグラベルＴの種別（アクセス周波数やタグラベル寸法）、印字ヘッド２３で印字される印字文字、無線タグラベルＴにおける無線タグ回路素子Ｔｏの固有の識別情報であるアクセスＩＤ、図１の情報サーバＩＳに格納されている物品情報のアドレス、および図１のルートサーバＲＳにおけるそれらの対応情報の格納先アドレスなどが含まれている。
【００７０】
図９（ａ）〜図９（ｄ）に、上記タグテープ１０１から作成される無線タグラベルＴの構成の一例を示す。図９（ａ）に表面を示し、図９（ｂ）に、図９（ａ）中のＩＸｂ−ＩＸｂ断面による断面を示し、図９（ｃ）に裏面を示し、図９（ｄ）に、図９（ａ）中のＩＸｄ−ＩＸｄ断面による断面を示す。
【００７１】
これら図９（ａ）〜図９（ｄ）において、無線タグラベルＴは、上述の７層構造のタグテープ１０１にカバーフィルム１０３を貼り合わせた８層構造（無線タグ本体９０を含めると９層構造）を所定の長さあるいは所望の長さで切断して形成され、そのカバーフィルム１０３の裏面には印字文字Ｒ（図示する例では「ＲＦＩＤ」の文字）がテープ幅方向ほぼ全幅にわたるように印字されている。
【００７２】
無線タグ本体９０は、テープ厚み方向において第１テープ１０１Ａと第２テープ１０１Ｂの間に挟まれており、ＩＣ保持体９２はアンテナ基材９１に対して第１テープ１０１Ａ側に突出するように設けられている。また図示する例では、ＩＣ回路部８０を含むＩＣ保持体９２が、印字文字Ｒを正対させた状態でのテープ幅方向上方側（つまり図示する例の「ＲＦＩＤ」の文字の上側）で、略矩形形状のループアンテナ６２の一方の角部に配置しており、平面視においてアンテナパターン６２Ａの径方向内側の第２接続用ランド９４が、剥離紙１０１ｇのテープ幅方向中央においてテープ長手方向に形成されているハーフカット線ＨＣと重なる位置に設けられている。また、剥離紙１０１ｇには、使用者に剥離紙１０１ｇの引き剥がし態様を誘導する引き剥がし表示部Ｍが表示されている(引き剥がし表示部Ｍについては後述の第３実施形態で詳述する)。
【００７３】
ここで、使用者が上記構成の無線タグラベルＴを物品に貼付する際には、ハーフカット線ＨＣに沿って無線タグラベルＴを折り曲げることにより、剥離紙１０１ｇをハーフカット線ＨＣに沿って２つに分離して、剥離紙１０１ｇの分離された個所の角部（又は辺部）を粘着層１０１ｆから浮かせ、そこからめくり上げて容易に剥がすことができる。このときのハーフカット線ＨＣに沿った折り曲げは、一般的には当該ハーフカット線ＨＣを頂部とするような折り曲げ（つまり剥離紙１０１ｇ側を山折り）によって行われる。このように剥離紙１０１ｇ側のハーフカット線ＨＣに沿って無線タグラベルＴの折り曲げを行った場合、前述したようにハーフカット線ＨＣに重なる配置で設けられた、ＩＣ保持体９２を構成する第２接続用ランド９４に折り曲げ力が作用する。
【００７４】
図１０は、無線タグラベルＴをハーフカット線ＨＣに沿って折り曲げた場合における無線タグ本体９０の状態を模式的に表す図であり、図１０（ａ）はハーフカット線ＨＣを谷部とするような折り曲げ（つまり剥離紙１０１ｇ側を谷折り）を行った場合における無線タグ本体９０の状態を示し、図１０（ｂ）はハーフカット線ＨＣを頂部とするような折り曲げ（つまり剥離紙１０１ｇ側を山折り）を行った場合における無線タグ本体９０の状態を示している。なお、図中においては各部材間の配置関係を明確にするために、ＩＣ回路部８０を大きく表示し、その他アンテナ基材９１と各接続用ランド９３，９４のみを図示している。
【００７５】
まず図１０（ａ）に示すように、ハーフカット線ＨＣを谷部とするような折り曲げ（つまり剥離紙１０１ｇ側を谷折り）を行った場合には、無線タグ本体９０においてはアンテナ基材９１に対してＩＣ保持体９２の設置側の面が山折りとなるため、山折りによる外力が接続用ランド９４の圧着部９７に引っ張り力として作用し、このために接続用ランド９４がアンテナ基材９１（又はアンテナパターン６２Ａ）から引き剥がされて回路が切断され、無線タグ本体９０の通信機能を阻害するおそれがある。
【００７６】
一方、図１０（ｂ）に示すように、ハーフカット線ＨＣを頂部とするような折り曲げ（つまり剥離紙１０１ｇ側を山折り）を行った場合には、アンテナ基材９１に対してＩＣ保持体９２の設置側の反対側の面が山折りとなるため、山折りによる外力が接続用ランド９４の圧着部９７に圧縮力として作用しても当該接続用ランド９４がたわむことで圧縮力を吸収することができ、このためにアンテナ基材９１及びアンテナパターン６２Ａに対する接続用ランド９４の接続を維持することができ、無線タグ本体９０の通信機能を確保することができる。
【００７７】
そして本実施形態のタグテープ１０１は、上記図３、図９に示すように、ＩＣ保持体９２をアンテナ基材９１に対して第１テープ１０１Ａ側に配置している、つまりハーフカット線ＨＣが形成されている第２テープ１０１Ｂと反対側にＩＣ保持体９２を配置している。これにより、剥離紙１０１ｇのハーフカット線ＨＣを頂部とするよう無線タグラベルＴを山折りに折り曲げた場合、図１０（ｂ）に示すように、ハーフカット線ＨＣと重なる配置の第２接続用ランド９４はアンテナ基材９１及びアンテナパターン６２Ａとの接続が維持され、無線タグ本体９０の通信機能を確保することができる。
【００７８】
以上のように構成した第１実施形態のタグテープ１０１においては、ＩＣ保持体９２をアンテナ基材９１の第１テープ１０１Ａ側（第２テープ１０１Ｂと反対側）に配置することにより、第２テープ１０１Ｂ側に設けたハーフカット線ＨＣを頂部とする山折りを行っても、それによる外力がＩＣ保持体９２をアンテナ基材９１から引き剥がす向きに作用するのを防止することができる。この結果、通信機能を阻害することなく、ラベル貼り付け時の利便性を向上することができる。
【００７９】
また、本実施形態では特に、剥離紙１０１ｇのハーフカット線ＨＣがテープ幅方向中央部においてテープ長手方向に延設されていることにより、使用者が、剥離紙１０１ｇを上面にして、ハーフカット線ＨＣを頂部としてテープ幅方向への山折りを行い、剥離紙１０１ｇをめくり上げて容易に剥離紙１０１ｇを引き剥がすことができる。さらに、山折りの際には頂部を境にした両方向の寸法が均等になるため、使用者の両手による取り扱い性が良好となり、さらに容易かつ確実に剥離紙１０１ｇを引き剥がすことができる。
【００８０】
また、本実施形態では特に、ＩＣ保持体９２が、ハーフカット線ＨＣと平面視で見て重なる位置に設けられている。この場合、前述したように使用者が無線タグラベルＴをハーフカット線ＨＣが頂部となるように山折りを行うと、その山折り時の外力がＩＣ保持体９２にも確実に作用し、ＩＣ保持体９２がアンテナ基材９１の第２テープ１０１Ｂ側に配置されていた場合には、上記の山折りによる外力がＩＣ保持体９２をアンテナ基材９１から引き剥がす向きに作用し、通信機能を阻害するおそれが高い。したがって、この場合に本実施形態のようにＩＣ保持体９２をアンテナ基材９１の第１テープ１０１Ａ側に配置することにより、上述した山折りによる外力が引き剥がしを生じる向きに作用するのを防止できるという効果が特に顕著となる。
【００８１】
また、本実施形態では特に、第１及び第２接続用ランド９３，９４を介してＩＣ回路部８０とアンテナパターン６２Ａとを接続する構造とすることで、ＩＣ回路部８０とアンテナパターン６２Ａとを直接結合する場合よりも製造時の自由度が高くなり、生産性を向上することができる。
【００８２】
また、本実施形態では特に、ＩＣ保持体９２の第２接続用ランド９４が、平面視において前記剥離紙１０１ｇのハーフカット線ＨＣと重なる位置に設けられていることにより、山折りによる外力が第２接続用ランド９４をアンテナ基材９１及びアンテナパターン６２Ａから引き剥がす向きに作用するのを防止することができる。この結果、通信機能を阻害することなく、ラベル貼り付け時の利便性を向上することができる。
【００８３】
また、本実施形態では特に、アンテナ基材９１に設けたアンテナパターン６２Ａに接続された第１及び第２接続用ランド９３，９４に対し、ＩＣ回路部８０をアンテナ基材９１側に設けることで、（ＩＣ回路部８０をさらにアンテナ基材９１と反対側に重畳して構成する場合よりも）ＩＣ回路部８０のアンテナ基材９１からの高さを低減することができる。これにより、ＩＣ回路部８０のアンテナ基材９１からの突出高さを抑制できるので、結果として無線タグ本体９０全体のテープ厚み方向寸法を低減することができる。この結果、タグテープ１０１において無線タグ本体９０が存在する部分と存在しない部分との厚み方向寸法の差により第１テープ１０１Ａ又は第２テープ１０１Ｂにしわが生じるのを抑制することができる。
【００８４】
また、本実施形態では特に、アンテナ基材９１側に位置する近傍のアンテナパターン６２ＡをＩＣ回路部８０から迂回させていることにより、ＩＣ回路部８０とアンテナパターン６２Ａとの短絡を防止しつつ、ＩＣ回路部８０のアンテナ基材９１からの突出高さを確実に抑制することができる。
【００８５】
なお、本発明は、上記に限られるものではなく、その趣旨及び技術的思想を逸脱しない範囲内で種々の変形が可能である。以下、そのような変形例を順を追って説明する。
【００８６】
（１−１）ハーフカット線をテープ幅方向に設けた場合
上記第１実施形態では、タグテープ１０１の剥離紙１０１ｇに厚み方向寸法の少なくとも一部を切断するハーフカット線ＨＣをテープ長手方向に設けたが、ハーフカット線ＨＣはテープ幅方向に設けることもできる。本変形例のタグテープ１０１から作成される無線タグラベルＴの構成の一例を図１１に示す。図１１（ａ）は無線タグラベルＴの表面を示し、図１１（ｂ）は無線タグラベルＴの裏面を示す。図１１に示すように、剥離紙１０１ｇにハーフカット線ＨＣ（切断部、切断線）がテープ幅方向に連続した直線状に延設されている。ＩＣ保持体９２は、ハーフカット線ＨＣと重なる位置に配置されている。
【００８７】
このような幅方向のハーフカット線ＨＣにおいても、ハーフカット線ＨＣに沿って無線タグラベルＴを山折りで折り曲げることで、ＩＣ保持体９２がハーフカット線ＨＣと重なっていても、ＩＣ保持体９２に外力の悪影響を生じることなく、剥離紙１０１ｇをめくり上げて引き剥がしやすくできる。その結果、通信機能を阻害することなく、ラベル貼り付け時の利便性を向上することができる等、上記第１実施形態と同様の効果を得ることができる。
【００８８】
（１−２）ハーフカット線をミシン目状に設けた場合
上記第１実施形態では、ハーフカット線ＨＣを切れ目のない連続的な直線状に設ける（すなわち剥離紙１０１ｇの面方向１箇所において切断する）ようにしたが、これに限られず、剥離紙１０１ｇの面方向複数箇所において切断することにより、断続的なハーフカット線ＨＣを形成してもよい。本変形例は、その一例として、ハーフカット線ＨＣを切れ目のあるミシン目状に設けた例である。
【００８９】
本変形例のハーフカット線ＨＣを有するタグテープ１０１から作成される無線タグラベルＴの構成の一例を図１２に示す。図１２（ａ）は無線タグラベルＴの表面を示し、図１２（ｂ）は無線タグラベルＴの裏面を示す。図１２に示すように、剥離紙１０１ｇのテープ幅方向中央においてハーフカット線ＨＣがテープ長手方向にミシン目状に延設されている。ＩＣ保持体９２は、ハーフカット線ＨＣと重なる位置に配置されている。
【００９０】
このようなミシン目のハーフカット線ＨＣ（切断部、切断線）においても、ハーフカット線ＨＣに沿って無線タグラベルＴを山折りで折り曲げることで、ＩＣ保持体９２がハーフカット線ＨＣと重なっていても、ＩＣ保持体９２に外力の悪影響を生じることなく、剥離紙１０１ｇをめくり上げて引き剥がしやすくできる。その結果、通信機能を阻害することなく、ラベル貼り付け時の利便性を向上することができる等、上記第１実施形態と同様の効果を得ることができる。
【００９１】
（１−３）ハーフカット線をテープ幅方向にミシン目状に設けた場合
本変形例は、上記（１−２）で説明した断続的なミシン目状のハーフカット線ＨＣをテープ幅方向に設けた例である。本変形例のハーフカット線ＨＣを有するタグテープ１０１から作成される無線タグラベルＴの構成の一例を図１３に示す。図１３（ａ）は無線タグラベルＴの表面を示し、図１３（ｂ）は無線タグラベルＴの裏面を示す。図１３に示すように、剥離紙１０１ｇのテープ幅方向にハーフカット線ＨＣがミシン目状に延設されている。この例では、ハーフカット線ＨＣはＩＣ回路部８０よりもテープ長手方向内側の位置に設けられ、ＩＣ保持体９２は、平面視においてハーフカット線ＨＣと重なる位置に配置されている。
【００９２】
このようなテープ幅方向のミシン目状のハーフカット線ＨＣ（切断部、切断線）においても、ハーフカット線ＨＣに沿って無線タグラベルＴを山折りで折り曲げることで、ＩＣ保持体９２がハーフカット線ＨＣと重なっていても、ＩＣ保持体９２に外力の悪影響を生じることなく、剥離紙１０１ｇをめくり上げて引き剥がしやすくできる。その結果、通信機能を阻害することなく、ラベル貼り付け時の利便性を向上することができる等、上記第１実施形態と同様の効果を得ることができる。
【００９３】
（１−４）ハーフカット線をＬ字状に設けた場合
上記第１実施形態及び変形例（１−１）〜（１−３）では、いずれも、剥離紙引き剥がし用のハーフカット線ＨＣを直線状に設けたが、ハーフカット線ＨＣは剥離紙１０１ｇを引き剥がす取っ掛かりになれば、どのような形状のものでもよい。本変形例は、その一例として、ハーフカット線ＨＣをＬ字状に設けた例である。
【００９４】
本変形例のハーフカット線ＨＣを有するタグテープ１０１から作成される無線タグラベルＴの構成の一例を図１４に示す。図１４（ａ）は無線タグラベルＴの表面を示し、図１４（ｂ）は無線タグラベルＴの裏面を示す。図１４に示すように、剥離紙１０１ｇのＩＣ保持体９２の配置と重なる位置にハーフカット線ＨＣがＬ字状に設けられている。なお、図に示す例ではＬ字状のハーフカット線ＨＣが倒立姿勢となるように形成されているが、どのような姿勢でもよい。
【００９５】
このようなＬ字状のハーフカット線ＨＣ（切断部）によっても、ハーフカット線ＨＣに沿って無線タグラベルＴを山折りで折り曲げることで、通信機能を阻害することなく、ラベル貼り付け時の利便性を向上することができる等、上記第１実施形態と同様の効果を得ることができる。
【００９６】
（１−５）ハーフカット線を円弧状に設けた場合
本変形例は、上述した剥離紙１０１ｇを引き剥がす取っ掛かりとなるハーフカット線ＨＣの別の形状の一例である。本変形例のハーフカット線ＨＣを有するタグテープ１０１から作成される無線タグラベルＴの構成の一例を図１５に示す。図１５（ａ）は無線タグラベルＴの表面を示し、図１５（ｂ）は無線タグラベルＴの裏面を示す。図１５に示すように、剥離紙１０１ｇのＩＣ保持体９２の配置と重なる位置にハーフカット線ＨＣが円弧状に設けられている。図１５に示すように、剥離紙１０１ｇのＩＣ保持体９２の配置と重なる位置にハーフカット線ＨＣが円弧状に設けられている。なお、図に示す例では、ハーフカット線ＨＣを、円弧の開口部がＩＣ回路部８０方向を向く姿勢となるように設けているが、円弧状のハーフカット線ＨＣはどのような姿勢であってもよい。
【００９７】
このような円弧状のハーフカット線ＨＣ（切断部）によっても、ハーフカット線ＨＣに沿って無線タグラベルＴを山折りで折り曲げることで、ＩＣ保持体９２がハーフカット線ＨＣと重なっていても、通信機能を阻害することなく、ラベル貼り付け時の利便性を向上することができる等、上記第１実施形態と同様の効果を得ることができる。
【００９８】
（１−６）ハーフカット線をΩ状に設けた場合
本変形例は、上述した剥離紙１０１ｇを引き剥がす取っ掛かりとなるハーフカット線ＨＣの別の形状の一例である。本変形例のハーフカット線ＨＣを有するタグテープ１０１から作成される無線タグラベルＴの構成の一例を図１６に示す。図１６（ａ）は無線タグラベルＴの表面を示し、図１６（ｂ）は無線タグラベルＴの裏面を示す。図１６に示すように、剥離紙１０１ｇのＩＣ保持体９２の配置と重なる位置にハーフカット線ＨＣがΩ状に設けられている。なおこの例では、ハーフカット線ＨＣを、Ω字の脚部がＩＣ回路部８０方向を向く姿勢となるように設けているが、Ω状のハーフカット線ＨＣはどのような姿勢であってもよい。
【００９９】
このようなΩ状のハーフカット線ＨＣ（切断部）によってもハーフカット線ＨＣに沿って無線タグラベルＴを山折りで折り曲げることで、ＩＣ保持体９２がハーフカット線ＨＣと重なっていても、通信機能を阻害することなく、ラベル貼り付け時の利便性を向上することができる等、上記第１実施形態と同様の効果を得ることができる。
【０１００】
（１−７）ハーフカット線をＵ字状に設けた場合
本変形例は、上述した剥離紙１０１ｇを引き剥がす取っ掛かりとなるハーフカット線ＨＣの別の形状の一例である。本変形例のハーフカット線ＨＣを有するタグテープ１０１から作成される無線タグラベルＴの構成の一例を図１７に示す。図１７（ａ）は無線タグラベルＴの表面を示し、図１７（ｂ）は無線タグラベルＴの裏面を示す。図１７に示すように、剥離紙１０１ｇのＩＣ保持体９２の配置と重なる位置にハーフカット線ＨＣがＵ字状に設けられている。この例では、ハーフカット線ＨＣを、Ｕ字の開口部がテープ幅方向一方側（図では上側）の長辺に位置する姿勢となるように設けているが、Ｕ字状のハーフカット線ＨＣはどのような姿勢であってもよい。
【０１０１】
このようなＵ字状のハーフカット線ＨＣ（切断部）においても、ハーフカット線ＨＣに沿って無線タグラベルＴを山折りで折り曲げることで、ＩＣ保持体９２がハーフカット線ＨＣと重なっていても、通信機能を阻害することなく、ラベル貼り付け時の利便性を向上することができる等、上記第１実施形態と同様の効果を得ることができる。
【０１０２】
（１−８）ハーフカット線をＶ字状に設けた場合
本変形例は、上述した剥離紙１０１ｇを引き剥がす取っ掛かりとなるハーフカット線ＨＣの別の形状の一例である。本変形例のハーフカット線ＨＣを有するタグテープ１０１から作成される無線タグラベルＴの構成の一例を図１８に示す。図１８（ａ）は無線タグラベルＴの表面を示し、図１８（ｂ）は無線タグラベルＴの裏面を示す。図１８に示すように、剥離紙１０１ｇのＩＣ保持体９２の配置と重なる位置にハーフカット線ＨＣがＶ字状に設けられている。なおこの例では、ハーフカット線ＨＣを、Ｖ字の開口部が剥離紙１０１ｇの幅方向一方側（図では上側）の長辺に位置する姿勢となるように設けているが、Ｖ字状のハーフカット線ＨＣはどのような姿勢であってもよい。
【０１０３】
このようなＶ字状のハーフカット線ＨＣ（切断部）においても、ハーフカット線ＨＣに沿って無線タグラベルＴを山折りで折り曲げることで、ＩＣ保持体９２がハーフカット線ＨＣと重なっていても、通信機能を阻害することなく、ラベル貼り付け時の利便性を向上することができる等、上記第１実施形態と同様の効果を得ることができる。
【０１０４】
（１−９）ハーフカット線を斜め切れ込み状に設けた場合
本変形例は、上述した剥離紙１０１ｇを引き剥がす取っ掛かりとなるハーフカット線ＨＣの別の形状の一例である。本変形例のハーフカット線ＨＣを有するタグテープ１０１から作成される無線タグラベルＴの構成の一例を図１９に示す。図１９（ａ）は無線タグラベルＴの表面を示し、図１９（ｂ）は無線タグラベルＴの裏面を示す。図１９に示すように、剥離紙１０１ｇのＩＣ保持体９２の配置と重なる位置に斜め切れ込みのハーフカット線ＨＣが設けられている。なおこの例では、ハーフカット線ＨＣを構成する斜めの切れ込みが、剥離紙１０１ｇの幅方向一方側の辺からＩＣ保持体９２を横切るように剥離紙１０１ｇの中央方向に傾斜した姿勢で設けられているが、斜め切れ込み状のハーフカット線ＨＣはどのような傾斜姿勢でもよい。
【０１０５】
このような斜め切れ込み状のハーフカット線ＨＣ（切断部）においても、ハーフカット線ＨＣに沿って無線タグラベルＴを山折りで折り曲げることで、ＩＣ保持体９２がハーフカット線ＨＣと重なっていても、通信機能を阻害することなく、ラベル貼り付け時の利便性を向上することができる等、上記第１実施形態と同様の効果を得ることができる。
【０１０６】
（１−１０）ハーフカット線をテープ長手方向に半直線状に設けた場合
本変形例は、上述した剥離紙１０１ｇを引き剥がす取っ掛かりとなるハーフカット線ＨＣの別の形状の一例である。本変形例のハーフカット線ＨＣを有するタグテープ１０１から作成される無線タグラベルＴの構成の一例を図２０に示す。図２０（ａ）は無線タグラベルＴの表面を示し、図２０（ｂ）は無線タグラベルＴの裏面を示す。図２０に示すように、剥離紙１０１ｇのテープ長手方向一方側のＩＣ保持体９２に近い側の短辺側からハーフカット線ＨＣがテープ長手方向に半直線状に延設されている。この例では、ハーフカット線ＨＣはテープ幅方向一方側（図では上側）に位置し、ＩＣ保持体９２は、平面視においてハーフカット線ＨＣの一端側と重なる位置に配置されている。
【０１０７】
このようなテープ長手方向の半直線状のハーフカット線ＨＣ（切断部、切断線）においても、ハーフカット線ＨＣに沿って無線タグラベルＴを山折りで折り曲げることで、ＩＣ保持体９２がハーフカット線ＨＣと重なっていても、通信機能を阻害することなく、ラベル貼り付け時の利便性を向上することができる等、上記第１実施形態と同様の効果を得ることができる。
【０１０８】
なお、ここでは特に図示はしないが、上記半直線状のハーフカット線ＨＣを、前述の図１１、図１３等に示すようにテープ幅方向に沿うように、平面視においてＩＣ保持体９２と重なる位置に設けてもよい。この場合にも、上記第１実施形態と同様の効果を得ることができる。
【０１０９】
次に、本発明の第２実施形態について説明する。上記第１実施形態では、タグテープ１０１のＩＣ保持体９２をアンテナ基材９１の第１テープ１０１Ａ側に突出するように設けることにより、平面視においてＩＣ保持体９２の配置位置が剥離紙１０１ｇに設けたハーフカット線ＨＣと重なっていても、剥離紙１０１ｇをハーフカット線ＨＣを頂部とする山折りで折り曲げることによって、折り曲げによる外力がＩＣ保持体９２をアンテナ基材９１から引き剥がす向きに作用するのを防止できるように構成した。これに対し、第２実施形態は、折り曲げによる外力の悪影響がＩＣ保持体９２に生じないようにするために、第２テープ１０１Ｂの剥離紙１０１ｇに、平面視においてＩＣ保持体９２の配置と重ならない位置にハーフカット線ＨＣを設けるようにした実施形態である。
【０１１０】
図２１に、第２実施形態のタグテープ１０１から作成される無線タグラベルＴの構成の一例を示す。図２１（ａ）に表面を示し、図２１（ｂ）に、図２１（ａ）中のＸＸＩｂ−ＸＸＩｂ断面による断面を示し、図２１（ｃ）に裏面を示し、図２１（ｄ）に、図２１（ａ）中のＸＸＩｄ−ＸＸＩｄ断面による断面を示す。
【０１１１】
図２１（ａ）及び図２１（ｃ）に示すように、剥離紙１０１ｇにはテープ幅方向一方側（図中下側）においてテープ長手方向に剥離紙引き剥がし用の切断部（切断線）として連続して延設した直線状のハーフカット線ＨＣが、平面視においてＩＣ保持体９２の配置と重ならないように設けられている。この例では、平面視においてＩＣ保持体９２（のアンテナパターン６２Ａの径方向内側部分）がハーフカット線ＨＣに対しテープ幅方向他方側（図中上側）に離間した位置に配置されている。本第２実施形態における無線タグラベルＴのその他の構成は、図９（ａ）〜図９（ｄ）に示した第１実施形態と同様であり、図２１（ａ）〜図２１（ｄ）において図９（ａ）〜図９（ｄ）と同等の部分には同一の符号を付し、詳細な説明は省略する。ＩＣ保持体９２は、アンテナ基材９１の第１テープ１０１Ａ側に突出するように設けられている。
【０１１２】
以上のように構成した第２実施形態においては、タグテープ１０１は、前述の第１実施形態と同様に、第１テープ１０１Ａ、無線タグ本体９０、第２テープ１０１Ｂの積層構造で構成され、このタグテープ１０１を用いて無線タグラベルＴが作成される。作成された無線タグラベルＴを使用者が使用する際には、第２テープ１０１Ｂに備えられた剥離紙１０１ｇを手で引き剥がし、露出させた粘着層１０１ｆによって、貼り付け対象に貼り付ける。このとき、使用者が粘着層１０１ｆから剥離紙１０１ｇを引き剥がしやすいように、剥離紙１０１ｇにハーフカット線ＨＣを設けている。これにより、使用者は、無線タグラベルＴを裏返しにし剥離紙１０１ｇを上面にした状態で、上記ハーフカット線ＨＣ付近を頂部とするような山折りを行い、剥離紙１０１ｇをハーフカット線ＨＣ付近からめくり上げることで、容易に剥離紙１０１ｇを引き剥がすことができる。この結果、ラベル貼り付け時の利便性を向上することができる。
【０１１３】
一方、無線タグとしての通信機能を果たすためには、ＩＣ回路部８０とループアンテナ６２とが必要である。本第２実施形態においても、前述の第１実施形態と同様に、ＩＣ回路部８０がＩＣ保持体９２において保持部材９５によりアンテナ基材９１に保持されており、アンテナ基材９１に設けられたループアンテナ６２に対し電気的に接続される。ところで、このＩＣ保持体９２が、上記ハーフカット線ＨＣと平面視で見て重なるように存在している場合に、前述のように使用者がハーフカット線ＨＣ付近での山折りを行うと、その山折り時の外力がＩＣ保持体９２にも作用することとなる。この場合、ＩＣ保持体９２の一部の構成要素が損傷し、通信機能を阻害するおそれがある。そこで本第２実施形態においては、ハーフカット線ＨＣを平面視で見てＩＣ保持体９２と重ならないように配置することにより、上記の山折りによる外力がＩＣ保持体９２に作用するのを防止することができる。この結果、通信機能を阻害することなく、ラベル貼り付け時の利便性を向上することができる。
【０１１４】
また、本実施形態では特に、ＩＣ保持体９２が、アンテナ基材９１の第１テープ１０１Ａ側に突出するように設けられている。これにより、ハーフカット線ＨＣ付近での無線タグラベルＴの山折りによる外力がＩＣ保持体９２をアンテナ基材９１から引き剥がす(あるいはＩＣ保持体９２の一部の構成要素を、アンテナ基材９１側に位置する他の構成要素から引き剥がす)向きに作用するのを防止できる。この結果、通信機能の阻害をさらに確実に防止することができる。
【０１１５】
なお、本発明は、上記に限られるものではなく、その趣旨及び技術的思想を逸脱しない範囲内で種々の変形が可能である。以下、そのような変形例を順を追って説明する。
【０１１６】
（２−１）ＩＣ保持体が第２テープ側に突出するように設けられている場合
上記第２実施形態では、上述したように、ＩＣ保持体９２は、アンテナ基材９１の第１テープ１０１Ａ側に突出するように設けられていたが、ＩＣ保持体９２の配置がハーフカット線ＨＣと平面視において重なっていないので、無線タグラベルＴをハーフカット線ＨＣに沿って折り曲げても、当該折り曲げによる外力がＩＣ保持体９２に作用するのを防止することができる。したがって、折り曲げによる外力がＩＣ保持体９２をアンテナ基材９１から引き剥がす向きに作用するのを防止するために、上記第１実施形態のようにＩＣ保持体９２をアンテナ基材９１の第１テープ１０１Ａ側に突出するように設けることは、第２実施形態では必ずしも必要でない。そこで、本変形例では、ＩＣ保持体９２を第２テープ１０１Ｂ側に突出するように設ける構成としている。
【０１１７】
図２２に、本変形例のタグテープ１０１から作成される無線タグラベルＴの構成の一例を示す。図２２（ａ）〜図２２（ｄ）は、図９（ａ）〜図９（ｄ）に対応する図で、図２２（ａ）に表面を示し、図２２（ｂ）に、図２２（ａ）中のＸＸＩＩｂ−ＸＸＩＩｂ断面による断面を示し、図２２（ｃ）に裏面を示し、図２２（ｄ）に、図２２（ａ）中のＸＸＩＩｄ−ＸＸＩＩｄ断面による断面を示す。
【０１１８】
無線タグ本体９０は、テープ厚み方向において第１テープ１０１Ａと第２テープ１０１Ｂの間に挟まれており、ＩＣ保持体９２はアンテナ基材９１に対して第２テープ１０１Ｂ側に突出するように設けられている。本変形例のその他の構成は、上記第２実施形態と同様であり、図２２（ａ）〜図２２（ｄ）において図２１（ａ）〜図２１（ｄ）と同等の部分には同一の符号を付し、詳細な説明は省略する。
【０１１９】
剥離紙１０１ｇには、上記第２実施形態と同様、テープ幅方向一方側の位置（図２２（ａ）及び図２２（ｃ）中下側）にハーフカット線ＨＣ（切断部、切断線）がテープ長手方向に延設され、ＩＣ保持体９２は、平面視においてハーフカット線ＨＣと重ならないテープ幅方向他方側の位置に配置されている。この場合もＩＣ保持体９２がハーフカット線ＨＣと平面視において重ならない位置に配置されているので、無線タグラベルＴをハーフカット線ＨＣに沿って山折りに折り曲げても、当該折り曲げによる外力がＩＣ保持体９２に作用するのを防止することができる。
【０１２０】
（２−２）ハーフカット線をテープ幅方向に設けた場合
本変形例は、ハーフカット線ＨＣをテープ幅方向に設けた変形例である。本変形例のタグテープ１０１から作成される無線タグラベルＴの構成の一例を図２３に示す。図２３（ａ）は無線タグラベルＴの表面を示し、図２３（ｂ）は無線タグラベルＴの裏面を示す。図２３に示すように、剥離紙１０１ｇのＩＣ保持体９２よりも長手方向内側の位置にハーフカット線ＨＣがテープ幅方向に連続した直線状に延設されている。ＩＣ保持体９２は、平面視においてハーフカット線ＨＣのテープ長手方向一方側（図２３（ａ）中右側、図２３（ｂ）中左側）にずれた位置に設けられている。なお、ＩＣ保持体９２は、上記第２実施形態と同様に第１テープ１０１Ａ側に突出する構成でも、上記図２２に示した変形例（２−１）のように第２テープ１０１Ｂ側に突出する構成でもいずれでもよい（第２実施形態の以下の変形例（２−３）〜（２−２１）においても同様である）。
【０１２１】
このようなテープ幅方向のハーフカット線ＨＣにおいても、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１２２】
（２−３）ＩＣ保持体がテープ幅方向の一方側に配置されている場合
上記第２実施形態では、アンテナ基材９１の長手方向一方側の隅部に配置されたＩＣ保持体９２に対し、ハーフカット線ＨＣをずらして形成することにより、平面視においてＩＣ保持体９２がハーフカット線ＨＣと重ならない構成を実現したが、これに限られない。すなわち、テープ幅方向中央部に形成されたハーフカット線ＨＣに対しＩＣ保持体９２をずらして配置することにより、ＩＣ保持体９２がハーフカット線ＨＣと重ならない構成を実現してもよい。本変形例は、ＩＣ保持体９２をアンテナ基材９１のテープ幅方向一方側にずらして配置した例である。
【０１２３】
本変形例のタグテープ１０１から作成される無線タグラベルＴの構成の一例を図２４に示す。図２４に示すように、剥離紙１０１ｇには、テープ幅方向中央にハーフカット線ＨＣ（切断部、切断線）がテープ長手方向に延設されており、ＩＣ保持体９２は、アンテナ基材９１のテープ長手方向中央部において、ハーフカット線ＨＣのテープ幅方向一方側（図中下側）にずれた位置に設けられている。これにより、ＩＣ保持体９２は、ハーフカット線ＨＣと重ならない配置となっている。
【０１２４】
このようにＩＣ保持体９２をテープ幅方向一方側にずらして配置することにより、平面視においてＩＣ保持体９２がハーフカット線ＨＣと重ならない構成を実現できる。その結果、無線タグラベルＴをハーフカット線ＨＣに沿って山折りに折り曲げても、当該折り曲げによる外力がＩＣ保持体９２に作用するのを防止することができる。
【０１２５】
（２−４）ハーフカット線をテープ幅方向に設けた場合
本変形例のタグテープ１０１から得られた無線タグラベルＴを図２５に示す。本変形例では、ＩＣ保持体９２の配置位置の長手方向一方側の位置において、テープ幅方向にハーフカット線ＨＣ（切断部、切断線）が延設されている。本変形例のその他の構成は、上記変形例（２−３）と同様である。
【０１２６】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１２７】
（２−５）ハーフカット線をテープ幅方向に複数設けた場合
上記第２実施形態では、ハーフカット線ＨＣを１本のみ設けるようにしたが、複数本形成するようにしてもよい。本変形例は、ハーフカット線ＨＣをテープ幅方向に複数設けた変形例である。本変形例のタグテープ１０１から得られた無線タグラベルＴを図２６に示す。本変形例では、剥離紙１０１ｇのＩＣ保持体９２の配置位置の長手方向両側の各位置においてテープ幅方向にハーフカット線ＨＣ（切断部、切断線）がそれぞれ延設されている。本変形例のその他の構成は、上記変形例（２−３）と同様である。
【０１２８】
この場合も、ＩＣ保持体９２が各ハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１２９】
（２−６）ハーフカット線を半直線状に設けた場合
本変形例のタグテープ１０１から作成される無線タグラベルＴの構成の一例を図２７に示す。図２７に示すように、ＩＣ保持体９２は、アンテナ基材９１のテープ長手方向一方側の隅部に配置されている。剥離紙１０１ｇのテープ幅方向中央には、テープ長手方向のＩＣ保持体９２に近い側の短辺側からハーフカット線ＨＣ（切断部、切断線）がテープ長手方向に半直線状に設けられ、ＩＣ保持体９２の手前の重ならない位置まで延設されている。
【０１３０】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１３１】
なお、ここでは特に図示はしないが、上記半直線状のハーフカット線ＨＣを、テープ幅方向に沿うように、平面視においてＩＣ保持体９２と重ならない位置に設けてもよい。この場合にも、上記と同様の効果を得ることができる。
【０１３２】
（２−７）ハーフカット線を円弧状に設けた場合
本変形例のハーフカット線ＨＣを有するタグテープ１０１から作成される無線タグラベルＴの構成の一例を図２８に示す。図２８（ａ）は無線タグラベルＴの表面を示し、図２８（ｂ）は無線タグラベルＴの裏面を示す。図２８に示すように、剥離紙１０１ｇのＩＣ保持体９２の配置よりもテープ長手方向外側にずれた位置にハーフカット線ＨＣ（切断部）が円弧状に設けられている。その他の構成は上記第２実施形態と同様である。なおこの例では、ハーフカット線ＨＣを、円弧の開口部がＩＣ回路部８０方向に向く姿勢となるように設けているが、円弧状のハーフカット線ＨＣはどのような姿勢であってもよい。
【０１３３】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１３４】
（２−８）ハーフカット線をΩ状に設けた場合
本変形例のハーフカット線ＨＣを有するタグテープ１０１から作成される無線タグラベルＴの構成の一例を図２９に示す。図２９（ａ）は無線タグラベルＴの表面を示し、図２９（ｂ）は無線タグラベルＴの裏面を示す。図２９に示すように、剥離紙１０１ｇのＩＣ保持体９２よりもテープ長手方向一方側の位置にハーフカット線ＨＣ（切断部）がΩ状に設けられている。その他の構成は上記第２実施形態と同様である。ＩＣ保持体９２は、ハーフカット線ＨＣと重ならない位置に配置されている。なおこの例では、ハーフカット線ＨＣを、Ω字の脚部がＩＣ保持体９２方向に向く姿勢となるように設けているが、Ω状のハーフカット線ＨＣはどのような姿勢であってもよい。
【０１３５】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１３６】
（２−９）ハーフカット線をＬ字状に設けた場合
本変形例のハーフカット線ＨＣを有するタグテープ１０１から作成される無線タグラベルＴの構成の一例を図３０に示す。図３０（ａ）は無線タグラベルＴの表面を示し、図３０（ｂ）は無線タグラベルＴの裏面を示す。剥離紙１０１のＩＣ保持体９２の配置位置よりもテープ長手方向一方側にずれた位置にハーフカット線ＨＣ（切断部）がＬ字状に設けられている。その他の構成は上記第２実施形態と同様である。ＩＣ保持体９２は、ハーフカット線ＨＣと重ならない位置に配置されている。なおこの例では、ハーフカット線ＨＣを構成するＬ字が倒立した姿勢に設けられているが、Ｌ字状のハーフカット線ＨＣはどのような姿勢でもよい。
【０１３７】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１３８】
（２−１０）ハーフカット線をＵ字状に設けた場合
本変形例のハーフカット線ＨＣを有するタグテープ１０１から作成される無線タグラベルＴの構成の一例を図３１に示す。図３１（ａ）は無線タグラベルＴの表面を示し、図３１（ｂ）は無線タグラベルＴの裏面を示す。図３１に示すように、剥離紙１０１ｇのテープ長手方向中央においてテープ幅方向一方側（図では上側）にハーフカット線ＨＣ（切断部）がＵ字状に設けられている。その他の構成は上記第２実施形態と同様である。ＩＣ保持体９２は、ハーフカット線ＨＣと重ならない位置に配置されている。なおこの例では、ハーフカット線ＨＣを、Ｕ字の開口部がテープ幅方向一方側の長辺に位置する姿勢となるように設けているが、Ｕ字状のハーフカット線ＨＣはどのような姿勢であってもよい。
【０１３９】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１４０】
（２−１１）ハーフカット線をＶ字状に設けた場合
本変形例のハーフカット線ＨＣを有するタグテープ１０１から作成される無線タグラベルＴの構成の一例を図３２に示す。図３２（ａ）は無線タグラベルＴの表面を示し、図３２（ｂ）は無線タグラベルＴの裏面を示す。図３２に示すように、剥離紙１０１ｇのテープ長手方向中央においてテープ幅方向一方側（図では上側）にハーフカット線ＨＣ（切断部）がＶ字状に設けられている。その他の構成は上記第２実施形態と同様である。ＩＣ保持体９２は、ハーフカット線ＨＣと重ならない位置に配置されている。なおこの例では、ハーフカット線ＨＣを、Ｖ字の開口部がテープ幅方向一方側の長辺に位置する姿勢となるように設けているが、Ｖ字状のハーフカット線ＨＣはどのような姿勢であってもよい。
【０１４１】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１４２】
（２−１２）ハーフカット線を斜め切れ込み状に設けた場合
本変形例のハーフカット線ＨＣを有するタグテープ１０１から作成される無線タグラベルＴの構成の一例を図３３に示す。図３３（ａ）は無線タグラベルＴの表面を示し、図３３（ｂ）は無線タグラベルＴの裏面を示す。図３３に示すように、剥離紙１０１ｇのテープ長手方向中央においてテープ幅方向一方側（図では上側）にハーフカット線ＨＣ（切断部）が斜め切れ込み状に設けられている。その他の構成は上記第２実施形態と同様である。ＩＣ保持体９２は、ハーフカット線ＨＣと重ならない位置に配置されている。なお、斜め切れ込み状のハーフカット線ＨＣはどのような傾斜姿勢でもよい。
【０１４３】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１４４】
（２−１３）ハーフカット線を幅方向にミシン目状に設けた場合
本変形例のハーフカット線ＨＣを有するタグテープ１０１から作成される無線タグラベルＴの構成の一例を図３４に示す。図３４（ａ）は無線タグラベルＴの表面を示し、図３４（ｂ）は無線タグラベルＴの裏面を示す。図３４に示すように、剥離紙１０１ｇのテープ長手方向中央においてテープ幅方向にハーフカット線ＨＣ（切断部、切断線）がミシン目状に設けられている。その他の構成は上記第２実施形態と同様である。ＩＣ保持体９２は、ハーフカット線ＨＣと重ならない位置に配置されている。
【０１４５】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１４６】
（２−１４）ハーフカット線を長手方向に半直線状に設けた場合
本変形例のタグテープ１０１から得られた無線タグラベルＴを図３５に示す。図３５に示すように、ＩＣ保持体９２は、アンテナ基材９１のテープ幅方向一方側に配置されている。剥離紙１０１ｇのテープ幅方向中央にはテープ長手方向一方の短辺側からハーフカット線ＨＣ（切断部、切断線）がテープ長手方向に短い半直線状に設けられている。その他の構成は前述した図２４等と同様である。ＩＣ保持体９２は、ハーフカット線ＨＣと重ならない位置に配置されている。
【０１４７】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１４８】
なお、ここでは特に図示はしないが、上記半直線状のハーフカット線ＨＣを、テープ幅方向に沿うように、平面視においてＩＣ保持体９２と重ならない位置に設けてもよい。この場合にも、上記と同様の効果を得ることができる。
【０１４９】
（２−１５）ハーフカット線を円弧状に設けた場合
本変形例のタグテープ１０１から得られた無線タグラベルＴを図３６に示す。図３６に示すように、剥離紙１０１ｇのテープ長手方向一方側にハーフカット線ＨＣ（切断部）が円弧状に設けられている。その他の構成は前述した図２４等と同様である。ＩＣ保持体９２は、ハーフカット線ＨＣと重ならない位置に配置されている。
【０１５０】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１５１】
（２−１６）ハーフカット線をΩ状に設けた場合
本変形例のタグテープ１０１から得られた無線タグラベルＴを図３７に示す。図３７に示すように、剥離紙１０１ｇのテープ長手方向一方側にハーフカット線ＨＣ（切断部）がΩ状に設けられている。その他の構成は前述した図２４等と同様である。ＩＣ保持体９２は、ハーフカット線ＨＣと重ならない位置に配置されている。
【０１５２】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１５３】
（２−１７）ハーフカット線をＬ字状に設けた場合
本変形例のタグテープ１０１から得られた無線タグラベルＴを図３８に示す。図３８に示すように、剥離紙１０１ｇのテープ長手方向一方側にハーフカット線ＨＣ（切断部）がＬ字状に設けられている。その他の構成は前述した図２４等と同様である。ＩＣ保持体９２は、ハーフカット線ＨＣと重ならない位置に配置されている。
【０１５４】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１５５】
（２−１８）ハーフカット線をＵ字状に設けた場合
本変形例のタグテープ１０１から得られた無線タグラベルＴを図３９に示す。図３９に示すように、剥離紙１０１ｇのテープ長手方向中央においてテープ幅方向一方側（図では上側）にハーフカット線ＨＣ（切断部）がＵ字状に設けられている。その他の構成は前述した図２４等と同様である。ＩＣ保持体９２は、ハーフカット線ＨＣと重ならない位置に配置されている。
【０１５６】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１５７】
（２−１９）ハーフカット線をＶ字状に設けた場合
本変形例のタグテープ１０１から得られた無線タグラベルＴを図４０に示す。図４０に示すように、剥離紙１０１ｇのテープ長手方向中央においてテープ幅方向一方側（図では上側）にハーフカット線ＨＣ（切断部）がＶ字状に設けられている。その他の構成は前述した図２４等と同様である。ＩＣ保持体９２は、ハーフカット線ＨＣと重ならない位置に配置されている。
【０１５８】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１５９】
（２−２０）ハーフカット線を斜め切れ込み状に設けた場合
本変形例のタグテープ１０１から得られた無線タグラベルＴを図４１に示す。図４１に示すように、剥離紙１０１ｇのテープ長手方向中央においてテープ幅方向一方側（図では上側）にハーフカット線ＨＣ（切断部）が斜め切れ込み状に設けられている。その他の構成は前述した図２４等と同様である。ＩＣ保持体９２は、ハーフカット線ＨＣと重ならない位置に配置されている。なお、斜め切れ込み状のハーフカット線ＨＣは図に示す以外の傾斜姿勢でもよい。
【０１６０】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１６１】
（２−２１）ハーフカット線を幅方向にミシン目状に設けた場合
本変形例のタグテープ１０１から得られた無線タグラベルＴを図４２に示す。図４２に示すように、剥離紙１０１ｇのＩＣ保持体９２の配置位置よりも長手方向一方側においてテープ幅方向にハーフカット線ＨＣ（切断部、切断線）がミシン目状に延設されている。その他の構成は前述した図２４等と同様である。
【０１６２】
この場合も、ＩＣ保持体９２がハーフカット線ＨＣと重ならない位置に配置されているので、無線タグラベルＴをハーフカット線ＨＣに沿って山折りに折り曲げても、当該折り曲げによる外力がＩＣ保持体９２に作用するのを防止することができる。
【０１６３】
なお、ここでは特に図示はしないが、上記ミシン目状のハーフカット線ＨＣを、テープ幅方向中央においてテープ長手方向に沿う方向に、平面視においてＩＣ保持体９２と重ならない位置に設けてもよい。この場合にも、上記と同様の効果を得ることができる。
【０１６４】
次に、本発明の第３実施形態について説明する。本第３実施形態は、使用者にＩＣ保持体９２に対する外力の悪影響を避けた引き剥がしを行わせるために、タグテープ１０１の剥離紙１０１ｇに、使用者に対する剥離紙引き剥がし態様を誘導するための引き剥がし表示部を設けた実施形態である。
【０１６５】
第３実施形態のタグテープ１０１から作成される無線タグラベルＴの構成の一例を図４３に示す。図４３（ａ）に表面を示し、図４３（ｂ）に、図４３（ａ）中のＸＬＩＩＩｂ−ＸＬＩＩＩｂ断面による断面を示し、図４３（ｃ）に裏面を示し、図４３（ｄ）に、図４３（ａ）中のＸＬＩＩＩｄ−ＸＬＩＩＩｄ断面による断面を示す。本第３実施形態では、ＩＣ保持体９２は、無線タグラベルＴを表面側から見てアンテナ基材９１の左上の位置（図４３（ａ））、裏面側から見てアンテナ基材９１の右上の位置（図４３（ｃ））に配置されている点が、無線タグラベルＴを表面側から見てアンテナ基材９１の右上の位置（図９（ａ））、裏面側から見てアンテナ基材９１の左上の位置（図９（ｃ））に配置されている上記第１実施形態とＩＣ保持体９２の配置が異なる。本第３実施形態における無線タグラベルＴの層構成は、図９（ａ）〜図９（ｄ）に示した第１実施形態と同様であり、図４３（ａ）〜図４３（ｄ）において図９（ａ）〜図９（ｄ）と同等の部分には同一の符号を付し、詳細な説明は省略する。
【０１６６】
なお、図４３では、ＩＣ保持体９２がアンテナ基材９１の第１テープ１０１Ａ側に突出するように設けられている場合を例示しているが、本実施形態では必ずしも第１テープ１０１Ａ側に設ける必要はなく、ＩＣ保持体９２をアンテナ基材９１の第２テープ１０１Ｂ側に突出するように設けてもよい。
【０１６７】
剥離紙１０１ｇには、テープ幅方向中央においてテープ長手方向にハーフカット線ＨＣが形成され、ＩＣ保持体９２は、ハーフカット線ＨＣと重なる位置に配置されている。この剥離紙１０１ｇの表面のテープ長手方向中央部には、使用者に剥離紙１０１ｇの正しい引き剥がし態様を誘導するための引き剥がし表示部Ｍ１が表示されている。この引き剥がし表示部Ｍ１により表示される引き剥がし態様（第１引き剥がし態様）は、ＩＣ保持体９２の構成要素に引き剥がしによる外力の悪影響が生じる恐れがない（例えばＩＣ回路部８０のアンテナ基材９１との接続を維持できる）引き剥がし態様となっている。
【０１６８】
上記引き剥がし表示部Ｍ１は、ハーフカット線ＨＣを山折りするよう指示する説明表示及びハーフカット線ＨＣからの引き剥がし方向を示す矢印表示を含む図柄から構成されている。本例の引き剥がし表示部Ｍ１によれば、剥離紙１０１ｇのハーフカット線ＨＣからの引き剥がしを、ＩＣ保持体９２から離れた側（図４３（ｃ）中左側）から開始して反対方向（図４３（ｃ）中右方向）に向けて行えば、ＩＣ保持体９２に引き剥がしによる悪影響を生じることなく、剥離紙１０１ｇの引き剥がしができることが指示表示されている。これにより、使用者は、引き剥がし表示部Ｍ１のガイドにより、無線タグ本体９０の通信機能を阻害しない正しい引き剥がし態様で、剥離紙１０１ｇを引き剥がすことができる。
【０１６９】
図４４に、上記引き剥がし表示部Ｍ１の表示内容に沿った剥離紙１０１ｇの引き剥がし態様の一例を示す。なお、図４４の無線タグラベルＴの剥離紙１０１ｇには、引き剥がし表示部Ｍ１がラベル長手方向に沿って２つ表示されているが、引き剥がし表示部Ｍ１が１つ（又は３つ以上）の場合でも同様である。
【０１７０】
まず、使用者は剥離紙１０１ｇを上面にして、引き剥がし表示部Ｍ１の表示に従って、一方の手の指４０ａと他方の手の指４０ｂとで無線タグラベルＴの一方側端部（図中左端部）を掴み、その位置でハーフカット線ＨＣに沿って無線タグラベルＴを山折りして、剥離紙１０１ｇをめくりあげて２つに分離する。そして、そのめくりあがった剥離紙１０１ｇの一方（図中下方）の分離片を他方側端部（図中右端部）に向けて引っ張ることにより、剥離紙１０１ｇをハーフカット線ＨＣに沿って２つに分離しながら他方側端部まで引き剥がして行く。この引き剥がしを剥離紙１０１ｇの他方（図中上方）の分離片についても行って、無線タグラベルＴから剥離紙１０１ｇを全部引き剥がす。これにより、無線タグラベルＴから剥離紙１０１ｇをＩＣ保持体９２に悪影響を与えることなく引き剥がすことができ、通信機能を阻害することなく、ラベル貼り付け時の利便性を向上することができる。
【０１７１】
以上のように構成した第３実施形態においては、タグテープ１０１は、前述の実施形態と同様に、第１テープ１０１Ａ、無線タグ本体９０、第２テープ１０１Ｂの積層構造で構成され、このタグテープ１０１を用いて無線タグラベルＴが作成される。作成された無線タグラベルＴを使用者が使用する際には、第２テープ１０１Ｂに備えられた剥離紙１０１ｇを手で引き剥がし、露出させた粘着層１０１ｆによって、貼り付け対象に貼り付ける。
【０１７２】
一方、無線タグとしての通信機能を果たすためには、ＩＣ回路部８０とループアンテナ６２とが必要である。本第３実施形態においても、前述の実施形態と同様に、ＩＣ回路部８０がＩＣ保持体９２において保持部材９５によりアンテナ基材９１に保持されており、アンテナ基材９１に設けられたループアンテナ６２に対し電気的に接続される。ところで、前述のように使用者が剥離紙１０１ｇを引き剥がすと、その引き剥がし態様（引き剥がす箇所や引き剥がし方向等）によっては、外力がＩＣ保持体９２にも作用し、ＩＣ保持体９２の一部の構成要素が損傷して通信機能を阻害するおそれがある。本第３実施形態においては、剥離紙１０１ｇに引き剥がし表示部Ｍ１を設け、使用者に対し引き剥がし態様の誘導を行う。これにより、誤って上記外力の悪影響が生じる引き剥がし態様とならないように、使用者をガイドすることができる。この結果、使用者は、無線タグとしての通信機能を阻害するのを防止しつつ、円滑に剥離紙１０１ｇを引き剥がし、無線タグラベルＴを貼り付けることができる。この結果、ラベル貼り付け時の利便性を向上することができる。
【０１７３】
また、本実施形態では特に、引き剥がし表示部Ｍ１により表示される引き剥がし態様が、使用者に対し指示するハーフカット線ＨＣからの引き剥がし方向を表す矢印表示を含む。このように、矢印を用いて引き剥がし態様を表すことにより、使用者は、正しい引き剥がし態様（ＩＣ保持体に外力の悪影響が生じないような態様）を、視覚的に一目でわかりやすく理解することができる。
【０１７４】
なお、本発明は、上記に限られるものではなく、その趣旨及び技術的思想を逸脱しない範囲内で種々の変形が可能である。以下、そのような変形例を順を追って説明する。
【０１７５】
（３−１）引き剥がし表示部によりＩＣ保持体に近い側からの引き剥がしを指示する場合
本変形例の引き剥がし表示部Ｍ１を有するタグテープ１０１から作成される無線タグラベルＴの構成の一例を図４５に示す。図４５（ａ）は無線タグラベルＴの表面を示し、図４５（ｂ）は無線タグラベルＴの裏面を示す。本変形例では、ＩＣ保持体９２は、無線タグラベルＴを表面側から見てアンテナ基材９１の右上の位置（図４５（ａ））、裏面側から見てアンテナ基材９１の左上の位置（図４５（ｂ））に配置されている。剥離紙１０１ｇのテープ幅方向中央においてテープ長手方向にハーフカット線ＨＣが延設され、剥離紙１０１ｇの表面の長手方向中央部には、上記第３実施形態と同様な引き剥がし表示部Ｍ１が表示されている。なお、本変形例では、特に図示はしないが、ＩＣ保持体９２は、アンテナ基材９１の第１テープ１０１Ａ側に突出するように設けられている。
【０１７６】
本変形例の引き剥がし表示部Ｍ１が指示する引き剥がし態様（第１引き剥がし態様）は、剥離紙１０１ｇのハーフカット線ＨＣからの引き剥がしを、上記第３実施形態とは逆にＩＣ保持体９２に近い側（図４５中無線タグラベルＴの左側）から開始して、ＩＣ保持体９２から遠い側（図４５中右方向）に向けて行うことを示している。
【０１７７】
以上のような構成である本変形例においては、上述したように、ＩＣ保持体９２がアンテナ基材９１の第１テープ１０１Ａ側に突出するように配置されているため、前述の第１実施形態と同様に、ＩＣ保持体９２に近い側から遠い側へ剥離紙１０１ｇを引き剥がしても、引き剥がしによるＩＣ保持体９２への影響は比較的少ない。したがって、本変形例によっても、使用者は、引き剥がし表示部Ｍ１を見ることで、無線タグとしての通信機能を阻害するのを防止しつつ、円滑に剥離紙１０１ｇを引き剥がすことができる。
【０１７８】
（３−２）テキスト文書による引き剥がし表示部を設ける場合
本変形例のタグテープ１０１から作成される無線タグラベルＴの構成の一例を図４６に示す。本変形例では、剥離紙１０１ｇの表面に引き剥がし態様を示す表示部として、上記第３実施形態と同様な引き剥がし表示部Ｍ１（以下、必要に応じて「図柄を含む引き剥がし表示部Ｍ１」と称す）に加えて、「こちら側の方へ引き剥がしてください」等のテキスト文書による引き剥がし表示部Ｍ１ｔ（テキスト表示）を表示している。本変形例のその他の構成は、上記第３実施形態と同様である。
【０１７９】
本変形例では、引き剥がし表示部Ｍ１，Ｍ１ｔにより表示される引き剥がし態様が、使用者に対し指示するハーフカット線ＨＣからの引き剥がし方向を表すテキスト表示を含む。このように、テキストを用いて引き剥がし態様を表すことにより、使用者は、正しい引き剥がし態様（ＩＣ保持体に外力の悪影響が生じないような態様）を、詳細かつ確実に理解することができる。
【０１８０】
（３−３）テキスト文書による引き剥がし表示部でＩＣ保持体に近い側からの引き剥がしを指示する場合
本変形例のタグテープ１０１から作成される無線タグラベルＴの構成の一例を図４７に示す。本変形例では、図４５に示した変形例（３−１）と同様、ＩＣ保持体９２が無線タグラベルＴを裏面側から見てアンテナ基材９１の左上の位置に配置されている。剥離紙１０１ｇの表面には、引き剥がし態様を示す表示部として、ＩＣ保持体９２に近い側に図柄による引き剥がし表示部Ｍ１が表示され、ＩＣ保持体９２から遠い側にテキスト文書による引き剥がし表示部Ｍ１ｔが表示され、これら引き剥がし表示部Ｍ１及びＭ１ｔにより、ＩＣ保持体９２に近い側から引き剥がしを開始する方向の引き剥がしを誘導している。なお、本変形例では、特に図示はしないが、ＩＣ保持体９２は、アンテナ基材９１の第１テープ１０１Ａ側に突出するように設けられている。
【０１８１】
上記変形例（３−１）で述べたように、ＩＣ保持体９２がアンテナ基材９１の第１テープ１０１Ａ側に突出して配置されている場合、ＩＣ保持体９２に近い側から遠い側へと剥離紙１０１ｇを引き剥がしても、引き剥がしによるＩＣ保持体９２への影響は比較的少ない。これにより、使用者は、引き剥がし表示部Ｍ１及びＭ１ｔを見ることで、無線タグとしての通信機能を阻害するのを防止しつつ、円滑に剥離紙１０１ｇを引き剥がすことができる。
【０１８２】
（３−４）引き剥がし表示部で禁止する引き剥がし態様を表示した場合
本変形例のタグテープ１０１から作成される無線タグラベルＴの構成の一例を図４８に示す。本変形例におけるＩＣ保持体９２は、特に図示はしないがアンテナ基材９１の第２テープ１０１Ｂ側に配置され、ＩＣ保持体９２が剥離紙１０１ｇ側に突出している。そして、剥離紙１０１ｇの表面のテープ長手方向中央部に、使用者に対し剥離紙１０１ｇの誤った引き剥がし態様を禁止するための引き剥がし表示部Ｍ２を表示している。引き剥がし表示部Ｍ２により表示される誤った引き剥がし態様（第２引き剥がし態様）は、ＩＣ保持体９２の構成要素に引き剥がしによる外力の悪影響が生じる（例えばＩＣ回路部８０のアンテナ基材９１との接続を維持できない）引き剥がし態様となっている。本変形例のその他の構成は、上記第３実施形態と同様である。
【０１８３】
上記引き剥がし表示部Ｍ２は、禁止する引き剥がし方向を示す矢印を含む図柄から構成されている。ＩＣ保持体９２が第２テープ１０１Ｂ側（剥離紙１０１ｇ側）に突出している場合、ＩＣ保持体９２に近い側（図４８中右側）から引き剥がすと、引き剥がしによりＩＣ保持体９２に悪影響が生じる恐れがある。本例の引き剥がし表示部Ｍ２は、剥離紙１０１ｇのハーフカット線ＨＣからの引き剥がしを、ＩＣ保持体９２に近い側から開始して遠い側（図４８中左側）に向けて行うと、ＩＣ保持体９２に引き剥がしによる悪影響を生じるので、当該誤った引き剥がし態様を使用者に対し禁止表示している。これにより、使用者は、引き剥がし表示部Ｍ２を見ることで、誤った引き剥がし態様を認識でき、その結果、無線タグ本体９０の通信機能を阻害しない正しい引き剥がし態様で、剥離紙１０１ｇを引き剥がすことができる。
【０１８４】
（３−５）テキスト文書による引き剥がし表示部で禁止する引き剥がし態様を表示した場合
本変形例のタグテープ１０１から作成される無線タグラベルＴの構成の一例を図４９に示す。本変形例では、剥離紙１０１ｇの表面に、誤った引き剥がし態様を示す表示部として、ＩＣ保持体９２に近い側に上記引き剥がし表示部Ｍ２（必要に応じ「図柄による引き剥がし表示部Ｍ２」と称す）が表示され、ＩＣ保持体９２から遠い側に上記テキスト文書による引き剥がし表示部Ｍ２ｔが表示され、これら引き剥がし表示部Ｍ２及びＭ２ｔにより、ＩＣ保持体９２に近い側からの引き剥がしを禁止表示している。本変形例のその他の構成は、図４８で示した変形例（３−４）と同様である。
【０１８５】
本変形例によれば、引き剥がし表示部Ｍ２ｔにおいて、テキストを用いて誤った引き剥がし態様を禁止表示することにより、使用者は、誤った引き剥がし態様（ＩＣ保持体に外力の悪影響が生じるような態様）を詳細かつ確実に理解することができ、その結果、無線タグ本体９０の通信機能を阻害しない正しい引き剥がし態様で、剥離紙１０１ｇを引き剥がすことができる。
【０１８６】
（３−６）ＩＣ回路部の位置にテキスト文書による引き剥がし表示部を設けた場合
本変形例のタグテープ１０１から作成される無線タグラベルＴの構成の一例を図５０に示す。本変形例では、剥離紙１０１ｇの表面における、平面視においてＩＣ回路部８０と重なる位置に、使用者に対し禁止する引き剥がし態様（第２引き剥がし態様）の表示として、「ここを曲げないでください」を意味するテキスト文書を日本語を含む複数カ国語で記載した引き剥がし表示部Ｍ３を設けている。
【０１８７】
これにより、使用者にＩＣ回路部８０の位置を視覚的に認識させつつ、引き剥がし態様を正しくガイドすることができる。その結果、使用者は、引き剥がし表示部Ｍ３を見て、ＩＣ回路部８０の位置を視覚的に認識しつつ、引き剥がし表示部Ｍ３が表示された領域を避けた位置で、ハーフカット線ＨＣに沿って無線タグラベルＴを折り曲げ、ＩＣ保持体９２に外力を作用させることなく剥離紙１０１ｇを引き剥がすことができる。したがって、無線タグ本体９０の通信機能を阻害しない正しい引き剥がし態様で、剥離紙１０１ｇを引き剥がすことができる。
【０１８８】
（３−７）ＩＣ回路部の位置をテキスト表示した場合
本変形例のタグテープ１０１から作成される無線タグラベルＴの構成の一例を図５１に示す。本変形例では、剥離紙１０１ｇの表面における平面視においてＩＣ保持体９２のＩＣ回路部８０と重なる位置に、「チップ」を意味するテキスト文書を日本語を含む複数カ国語で記載したＩＣ回路表示部Ｍ４を設けて、ＩＣ回路部８０の位置をテキスト文書で表示している。
【０１８９】
これにより、使用者にＩＣ回路部８０の位置を視覚的に認識させつつ、引き剥がし態様を正しくガイドすることができる。その結果、使用者は、テキスト文書によるＩＣ回路表示部Ｍ４を見て、ＩＣ回路部８０の位置を視覚的に認識しつつ、ＩＣ回路表示部Ｍ４が表示された領域を避けた位置で、ハーフカット線ＨＣに沿って無線タグラベルＴを折り曲げ、ＩＣ保持体９２に外力を作用させることなく剥離紙１０１ｇを引き剥がすことができる。したがって、無線タグ本体９０の通信機能を阻害しない正しい引き剥がし態様で、剥離紙１０１ｇを引き剥がすことができる。
【０１９０】
（３−８）ＩＣ回路部の位置を図形表示した場合
本変形例のタグテープ１０１から作成される無線タグラベルＴの構成の一例を図５２に示す。本変形例では、剥離紙１０１ｇの表面における平面視においてＩＣ保持体９２のＩＣ回路部８０と重なる位置に、ＩＣ回路部８０に対応する図形によるＩＣ回路表示部Ｍ５を設けて、ＩＣ回路部８０の位置を図形で表示している。
【０１９１】
これにより、使用者にＩＣ回路部８０の位置を視覚的に認識させつつ、引き剥がし態様を正しくガイドすることができる。その結果、使用者は、図形によるＩＣ回路表示部Ｍ５を見て、ＩＣ回路部８０の位置を視覚的に認識しつつ、ＩＣ回路表示部Ｍ５の周囲を避けた位置で、ハーフカット線ＨＣに沿って無線タグラベルＴを折り曲げ、ＩＣ保持体９２に外力を作用させることなく剥離紙１０１ｇを引き剥がすことができる。したがって、無線タグ本体９０の通信機能を阻害しない正しい引き剥がし態様で、剥離紙１０１ｇを引き剥がすことができる。
【０１９２】
（３−９）引き剥がし表示部を複数種類設けた場合
本変形例のタグテープ１０１から作成される無線タグラベルを図５３に示す。本変形例では、剥離紙１０１ｇの表面に、上記図柄による引き剥がし態様の引き剥がし表示部Ｍ１、上記図柄による引き剥がし態様の引き剥がし表示部Ｍ２、及び上記テキスト文書による引き剥がし態様の引き剥がし表示部Ｍ３をテープ長手方向に沿って順に設けている。
【０１９３】
このように、本変形例では、剥離紙１０１ｇに互いに異なる複数種類の引き剥がし表示部Ｍ１〜Ｍ３を設けるので、使用者に対する引き剥がし態様のガイド手法のバリエーションを拡大することができる。
【０１９４】
なお、特に図示はしないが、剥離紙１０１ｇに上記引き剥がし表示部Ｍ１〜Ｍ３を１組として所定間隔で繰り返し配置してもよい。この場合、タグテープ１０１の第２テープ１０１Ｂの製造段階において、１つの版を用いた繰り返し印刷により、複数種類の引き剥がし表示部を容易に形成することができる。
【０１９５】
（３−１０）ＩＣ保持体の配置が異なる無線タグラベルにおいて引き剥がし表示部を複数種類表示した場合
本変形例のタグテープ１０１から作成される無線タグラベルＴの構成の一例を図５４に示す。本変形例では、ＩＣ保持体９２がテープ長手方向中央位置においてテープ幅方向一方側（図中下側）に偏って配置されている。また剥離紙１０１ｇの表面には、そのテープ長手方向両側に上記図柄による引き剥がし態様の引き剥がし表示部Ｍ１、長手方向中央部に上記テキスト文書による引き剥がし態様の引き剥がし表示部Ｍ３がテープ長手方向に沿って順に表示されている。すなわち、本変形例においては、ＩＣ保持体９２がテープ長手方向中央位置に配置されていることから、無線タグラベルＴのテープ長手方向両端側のいずれの側から剥離紙１０１ｇを引き剥がしても、引き剥がしによるＩＣ保持体９２への影響は比較的少ないため、このような表示態様となっている。
【０１９６】
本変形例においても、剥離紙１０１ｇに互いに異なる複数種類の引き剥がし表示部Ｍ１，Ｍ３を設けるので、使用者に対する引き剥がし態様のガイド手法のバリエーションを拡大することができる等、上記と同様の効果が得られる。
【０１９７】
（３−１１）ハーフカット線のバリエーション
上記第３実施形態においては、タグテープ１０１の剥離紙１０１ｇにテープ長手方向に沿って連続して延設したハーフカット線ＨＣを設けた場合のみを説明したが、これに限られない。前述の第１実施形態及び第２実施形態で示したように、本第３実施形態においても、ハーフカット線ＨＣをテープ幅方向に設けてもよいし、またハーフカット線ＨＣを連続的でなく半直線状またはミシン目状としてもよい。さらに、ハーフカット線ＨＣを前述した剥離紙１０１ｇを引き剥がす取っ掛かりとしての円弧状、Ω状、Ｌ字状、Ｖ字状、斜め切れ込み状等としてもよい。
【０１９８】
（４）その他
以上説明した第１乃至第３実施形態では、本発明を、タグテープ１０１に対して印字用のカバーフィルム１０３を貼り合わせたいわゆるラミネートタイプの無線タグラベルＴを作成する場合に適用した例を示したが、本発明はこれに限られない。例えば、タグテープに対して、その表面に直接印字して何も貼り合わせずに作成するいわゆるノンラミネートタイプの無線タグラベルＴ′を作成する場合に適用してもよい。
【０１９９】
図５５に、上記ノンラミネートタイプの無線タグラベルＴ′を作成するタグラベル作成装置（図示省略）のカートリッジホルダ３１′と、その内部に装着されたカートリッジ３′の要部の構成の一例を模式化して示す。なおこの図は、前述の第１実施形態における図３に対応する図である。図３と同等の部分には同一の符号を付し、適宜説明を省略する。
【０２００】
このノンラミネートタイプの無線タグラベルＴ′を作成するタグラベル作成装置は、第１ロール１０２′から繰り出した６層構造のタグテープ１０１′の第１ベースフィルム１０１ｂ′を被印字層（この場合、インクリボンからの熱転写により印字形成可能な被転写材料（被印字材料）により構成された転写層）として、その表面（図５５中左側）にインクリボン１０５を用いて印字ヘッド２３により印字し、これを切断して無線タグラベルＴ′を作成するものである。この場合、第１ベースフィルム１０１ｂ′と、無線タグ本体９０を内包する粘着層１０１ｃの２層が一体となって第１テープ１０１Ａ′を構成している。このように作成した本変形例のノンラミネートタイプの無線タグラベルＴ′においても、上記第１乃至第３実施形態と同様の効果が得られる。
【０２０１】
なお、上記ではノンラミネートタイプの一例として被印字層である第１ベースフィルム１０１ｂ′が上記転写層である場合を説明したが、これに限られず、インクを塗布することで印字形成可能な受像材料（被印字材料）により構成された受像層であってもよいし、また熱により発色する感熱剤（被印字材料）で構成される感熱層であってもよい。
【０２０２】
また、以上においては、移動中のタグテープ１０１に対して無線タグ情報の書き込み・読み取りや印字を行う例を示したが、これに限られず、タグテープ１０１等を所定位置で停止させて（さらに読み取り・書き込みについては所定の搬送ガイドにて保持した状態としてもよい）上記印字や読み取り・書き込みを行うようにしてもよい。
【０２０３】
また、以上において、印字及び無線タグ回路素子Ｔｏへのアクセス（読み取り又は書き込み）の終了した印字済みタグラベルテープ１０９をカッタ５１で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ５１で切断しなくても、テープがラベル排出口７から排出されてきた後にラベル台紙（アクセス済みの無線タグ回路素子Ｔｏが備えられかつ対応する印字がなされたもの）のみをテープから剥がして無線タグラベルＴを作成しても良く、本発明はこのようなものに対しても適用できる。
【０２０４】
また、以上においては、無線タグ回路素子ＴｏのＩＣ回路部８０から無線タグ情報の読み出し又は書き込みを行うと共に、印字ヘッド２３によってその無線タグ回路素子Ｔｏを識別するための印刷を行うようにしたが、この印刷は必ずしも行われなくともよく、無線タグ情報の読み出し又は書き込みのみを行うものに対し本発明を適用することもできる。
【０２０５】
さらに、以上は、タグテープ１０１がリール部材１０２ａの周りに巻回されて第１ロール１０２を構成し、カートリッジ３内にその第１ロール１０２が配置されてタグテープ１０１が繰り出される場合を例にとって説明したが、これに限られない。例えば、無線タグ回路素子Ｔｏが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベル作成装置１側のカートリッジホルダに装着して、上記収納部から移送、搬送して印字及び書き込みを行い無線タグラベルＴを作成するようにしてもよい。
【０２０６】
さらには上記ロールを直接タグラベル作成装置１側に着脱可能に装着する構成や、長尺平紙状あるいは短冊状のテープやシートをタグラベル作成装置１外より１枚ずつ所定のフィーダ機構によって移送しタグラベル作成装置１内へ供給する構成も考えられ、さらにはカートリッジ３のようなタグラベル作成装置１本体側に着脱可能なものにも限られず、装置本体２側に着脱不能のいわゆる据え付け型あるいは一体型として第１ロール１０２を設けることも考えられる。この場合も同様の効果を得る。
【０２０７】
以上、本発明の第１〜第３実施形態及びそれらの変形例について説明したが、以上既に述べた以外にも、上記実施形態や各変形例による手法を適宜組み合わせて利用しても良い。
【０２０８】
その他、一々例示はしないが、本発明は、その趣旨を逸脱しない範囲内において、種々の変更が加えられて実施されるものである。
【図面の簡単な説明】
【０２０９】
【図１】本発明の第１実施形態のタグテープを用いたタグラベル作成装置を備える無線タグラベルシステムの構成を示す図である。
【図２】タグラベル作成装置の外観構成を示す図である。
【図３】装置本体のカートリッジホルダとその内部に装着されたカートリッジの要部の構成を模式化して示す図である。
【図４】無線タグ回路素子の機能的構成を表す機能ブロック図である。
【図５】タグラベル作成装置における制御系の機能的な構成を表す機能ブロック図である。
【図６】タグテープにおける無線タグ本体の配置と構成の一例を示す図である。
【図７】図６に示した無線タグ本体のＩＣ回路部の周囲における断面図である。
【図８】無線タグラベルの作成時の端末装置の表示画面における表示の例を示す図である。
【図９】タグテープから作成される無線タグラベルの構成の一例を示す図である。
【図１０】無線タグラベルを折り曲げた場合の無線タグ本体の状態を模式的に表す図である。
【図１１】ハーフカット線をテープ幅方向に延設した場合の無線タグラベルの構成の一例を示す図である。
【図１２】ハーフカット線をミシン目状に設けた場合の無線タグラベルの構成の一例を示す図である。
【図１３】ハーフカット線をテープ幅方向にミシン目状に設けた場合の無線タグラベルの構成の一例を示す図である。
【図１４】ハーフカット線をＬ字状に設けた場合の無線タグラベルの構成の一例を示す図である。
【図１５】ハーフカット線を円弧状に設けた場合の無線タグラベルの構成の一例を示す図である。
【図１６】ハーフカット線をΩ状に設けた場合の無線タグラベルの構成の一例を示す図である。
【図１７】ハーフカット線をＵ字状に設けた場合の無線タグラベルの構成の一例を示す図である。
【図１８】ハーフカット線をＶ字状に設けた場合の無線タグラベルの構成の一例を示す図である。
【図１９】ハーフカット線を斜め切れ込み状に設けた場合の無線タグラベルの構成の一例を示す図である。
【図２０】ハーフカット線をテープ長手方向に半直線状に設けた場合の無線タグラベルの構成の一例を示す図である。
【図２１】本発明の第２実施形態のタグテープから作成される無線タグラベルの構成の一例を示す図である。
【図２２】ＩＣ保持体が第２テープ側に突出するように設けられている場合の無線タグラベルの構成の一例を示す図である。
【図２３】ハーフカット線をテープ幅方向に設けた場合の無線タグラベルの構成の一例を示す図である。
【図２４】ＩＣ保持体がテープ幅方向の一方側に配置されている場合の無線タグラベルの構成の一例を示す図である。
【図２５】ハーフカット線をテープ幅方向に設けた場合の無線タグラベルの構成の一例を示す図である。
【図２６】ハーフカット線をテープ幅方向に複数本設けた場合の無線タグラベルの構成の一例を示す図である。
【図２７】ハーフカット線を半直線状に設けた場合の無線タグラベルの構成の一例を示す図である。
【図２８】ハーフカット線を円弧状に設けた場合の無線タグラベルの構成の一例を示す図である。
【図２９】ハーフカット線をΩ状に設けた場合の無線タグラベルの構成の一例を示す図である。
【図３０】ハーフカット線をＬ字状に設けた場合の無線タグラベルの構成の一例を示す図である。
【図３１】ハーフカット線をＵ字状に設けた場合の無線タグラベルの構成の一例を示す図である。
【図３２】ハーフカット線をＶ字状に設けた場合の無線タグラベルの構成の一例を示す図である。
【図３３】ハーフカット線を斜め切れ込み状に設けた場合の無線タグラベルの構成の一例を示す図である。
【図３４】ハーフカット線を幅方向にミシン目状に設けた場合の無線タグラベルの構成の一例を示す図である。
【図３５】ＩＣ保持体がテープ幅方向の一方側に配置されている場合において、ハーフカット線を長手方向に半直線状に設けた場合の無線タグラベルの構成の一例を示す図である。
【図３６】ＩＣ保持体がテープ幅方向の一方側に配置されている場合において、ハーフカット線を円弧状に設けた場合の無線タグラベルの構成の一例を示す図である。
【図３７】ＩＣ保持体がテープ幅方向の一方側に配置されている場合において、ハーフカット線をΩ状に設けた場合の無線タグラベルの構成の一例を示す図である。
【図３８】ＩＣ保持体がテープ幅方向の一方側に配置されている場合において、ハーフカット線をＬ字状に設けた場合の無線タグラベルの構成の一例を示す図である。
【図３９】ＩＣ保持体がテープ幅方向の一方側に配置されている場合において、ハーフカット線をＵ字状に設けた場合の無線タグラベルの構成の一例を示す図である。
【図４０】ＩＣ保持体がテープ幅方向の一方側に配置されている場合において、ハーフカット線をＶ字状に設けた場合の無線タグラベルの構成の一例を示す図である。
【図４１】ＩＣ保持体がテープ幅方向の一方側に配置されている場合において、ハーフカット線を斜め切れ込み状に設けた場合の無線タグラベルの構成の一例を示す図である。
【図４２】ＩＣ保持体がテープ幅方向の一方側に配置されている場合において、ハーフカット線を幅方向にミシン目状に設けた場合の無線タグラベルの構成の一例を示す図である。
【図４３】本発明の第３実施形態のタグテープから作成される無線タグラベルの構成の一例を示す図である。
【図４４】引き剥がし表示部の表示内容に沿った剥離紙の引き剥がし態様の一例を説明するための説明図である。
【図４５】引き剥がし表示部によりＩＣ保持体に近い側からの引き剥がしを誘導する場合の無線タグラベルの構成の一例を示す図である。
【図４６】テキスト文書による引き剥がし表示部を設けた場合の無線タグラベルの構成の一例を示す図である。
【図４７】テキスト文書による引き剥がし表示部でＩＣ保持体に近い側からの引き剥がしを誘導する場合の無線タグラベルの構成の一例を示す図である。
【図４８】引き剥がし表示部で禁止する引き剥がし態様を表示した場合の無線タグラベルの構成の一例を示す図である。
【図４９】テキスト文書による引き剥がし表示部で禁止する引き剥がし態様を表示した場合の無線タグラベルの構成の一例を示す図である。
【図５０】ＩＣ回路部の位置にテキスト文書による引き剥がし表示部を設けた場合の無線タグラベルの構成の一例を示す図である。
【図５１】ＩＣ回路部の位置をテキスト表示した場合の無線タグラベルの構成の一例を示す図である。
【図５２】ＩＣ回路部の位置を図形表示した場合の無線タグラベルの構成の一例を示す図である。
【図５３】引き剥がし表示部を複数種類設けた場合の無線タグラベルの構成の一例を示す図である。
【図５４】ＩＣ保持体がテープ幅方向の一方側に配置されている場合において、引き剥がし表示部を複数種類設けた場合の無線タグラベルの構成の一例を示す図である。
【図５５】ノンラミネートタイプの無線タグラベルを作成するタグラベル作成装置に装着されるカートリッジホルダと、その内部に装着されたカートリッジの要部の構成を模式化して示す図である。
【符号の説明】
【０２１０】
１                タグラベル作成装置
３                カートリッジ（無線タグ回路素子カートリッジ）
３′              カートリッジ（無線タグ回路素子カートリッジ）
６２              ループアンテナ（タグアンテナ）
６２Ａ            アンテナパターン
８０              ＩＣ回路部
９０              無線タグ本体
９１              アンテナ基材
９２              ＩＣ保持体
９３              第１接続用ランド
９４              第２接続用ランド
９５              保持部材
１０１            タグテープ
１０１Ａ          第１テープ
１０１Ｂ          第２テープ
１０１ａ          粘着層（貼り合わせ用粘着剤層）
１０１ｆ          粘着層（貼り付け用粘着剤層）
１０１ｇ          剥離紙（剥離材層）
１０１′          タグテープ
１０１Ａ′        第１テープ
１０１ｂ′        第１ベースフィルム（被印字層）
１０２            第１ロール（タグテープロール）
１０２ａ          リール部材（軸）
１０２′          第１ロール（タグテープロール）
１０３            カバーフィルム（被印字テープ）
ＨＣ              ハーフカット線（切断部、切断線）
Ｍ                引き剥がし表示部
Ｍ１              引き剥がし表示部
Ｍ２              引き剥がし表示部
Ｍ３              引き剥がし表示部
Ｍ４              ＩＣ回路表示部
Ｍ５              ＩＣ回路表示部
Ｔ                無線タグラベル
Ｔ′              無線タグラベル
【図１】
0005029504.tif 000002
【図２】
0005029504.tif 000003
【図３】
0005029504.tif 000004
【図４】
0005029504.tif 000005
【図５】
0005029504.tif 000006
【図６】
0005029504.tif 000007
【図７】
0005029504.tif 000008
【図８】
0005029504.tif 000009
【図９】
0005029504.tif 000010
【図１０】
0005029504.tif 000011
【図１１】
0005029504.tif 000012
【図１２】
0005029504.tif 000013
【図１３】
0005029504.tif 000014
【図１４】
0005029504.tif 000015
【図１５】
0005029504.tif 000016
【図１６】
0005029504.tif 000017
【図１７】
0005029504.tif 000018
【図１８】
0005029504.tif 000019
【図１９】
0005029504.tif 000020
【図２０】
0005029504.tif 000021
【図２１】
0005029504.tif 000022
【図２２】
0005029504.tif 000023
【図２３】
0005029504.tif 000024
【図２４】
0005029504.tif 000025
【図２５】
0005029504.tif 000026
【図２６】
0005029504.tif 000027
【図２７】
0005029504.tif 000028
【図２８】
0005029504.tif 000029
【図２９】
0005029504.tif 000030
【図３０】
0005029504.tif 000031
【図３１】
0005029504.tif 000032
【図３２】
0005029504.tif 000033
【図３３】
0005029504.tif 000034
【図３４】
0005029504.tif 000035
【図３５】
0005029504.tif 000036
【図３６】
0005029504.tif 000037
【図３７】
0005029504.tif 000038
【図３８】
0005029504.tif 000039
【図３９】
0005029504.tif 000040
【図４０】
0005029504.tif 000041
【図４１】
0005029504.tif 000042
【図４２】
0005029504.tif 000043
【図４３】
0005029504.tif 000044
【図４４】
0005029504.tif 000045
【図４５】
0005029504.tif 000046
【図４６】
0005029504.tif 000047
【図４７】
0005029504.tif 000048
【図４８】
0005029504.tif 000049
【図４９】
0005029504.tif 000050
【図５０】
0005029504.tif 000051
【図５１】
0005029504.tif 000052
【図５２】
0005029504.tif 000053
【図５３】
0005029504.tif 000054
【図５４】
0005029504.tif 000055
【図５５】
0005029504.tif 000056